(57)【要約】  コンピュータ収納領域にエンコードされたコンピュータプログラムを含む、方法、システム、及び装置であって、転置変調（ＴＭ）信号を変調及び復調する。１つの特徴として、搬送波信号を変調する方法は、正弦波信号を生成することによって、ＴＭ信号を生成する操作、及びデータ信号に基づいて正弦波信号を変調してＴＭ信号を提供する操作を含む。ＴＭ信号を搬送波信号に挿入して、ＴＭ変調搬送波信号を提供する。ＴＭ変調搬送波信号を非ＴＭ信号とともに変調して、結合信号を提供する。該結合信号を送信する。【選択図】図２
2020517186.tif 000002
【特許請求の範囲】
【請求項１】
送信器であって、
少なくとも１つのプロセッサと、
前記少なくとも１つのプロセッサに結合され、命令が記憶されたデータストアと、を備え、前記命令が、前記少なくとも１つのプロセッサによって実行されたとき、前記少なくとも１つのプロセッサに、
転置変調（ＴＭ）信号を生成する操作であって、
正弦波信号を生成し、
データ信号に基づいて前記正弦波信号の位相を変調してＴＭ信号を提供することによってＴＭ信号を生成する操作と、
前記ＴＭ信号を搬送波信号に挿入してＴＭ変調搬送波信号を提供する操作と、
前記ＴＭ変調搬送波信号を送信する操作と、を含む操作を実行させる、送信器。
【請求項２】
前記ＴＭ信号を前記搬送波信号に挿入する操作が、前記ＴＭ信号を前記搬送波信号の位相に挿入してＴＭ変調搬送波信号を提供することを含む、請求項１に記載の送信器。
【請求項３】
前記ＴＭ信号が、前記ＴＭ信号を前記搬送波信号の位相に追加することによって前記搬送波信号の前記位相に挿入される、請求項２に記載の送信器。
【請求項４】
前記ＴＭ信号を前記搬送波信号に挿入する操作が、前記ＴＭ信号を前記搬送波信号の周波数に挿入してＴＭ変調搬送波信号を提供することを含む、請求項１に記載の送信器。
【請求項５】
前記ＴＭ信号が、前記ＴＭ信号を前記搬送波信号の周波数に追加することによって前記搬送波信号の前記周波数に挿入される、請求項４に記載の送信器。
【請求項６】
前記データ信号に基づいて前記正弦波信号を変調して前記ＴＭ信号を提供する操作が、前記データ信号に基づいて前記正弦波信号の位相を変調して前記ＴＭ信号を提供することを含む、請求項１乃至５のいずれかに記載の送信器。
【請求項７】
前記データ信号に基づいて前記正弦波信号の前記位相を変調して前記ＴＭ信号を提供する操作が、正弦波信号の位相を前記データ信号内の各データ値の個別の位相シフトだけ変化させることを含む、請求項６に記載の送信器。
【請求項８】
前記個別の位相シフトの値の変化が、前記正弦波信号の周期の整数倍に対応するように時間が合わされた、請求項７に記載の送信器。
【請求項９】
各個別の位相シフトが、前記データ信号のデータ値を表すＴＭシンボルである、請求項７又は８に記載の送信器。
【請求項１０】
前記データ信号に基づいて前記正弦波信号を変調する操作が、前記データ信号に基づいて前記正弦波信号の位相と振幅の両方を変調して前記ＴＭ信号を提供することを含む、請求項１乃至９のいずれかに記載の送信器。
【請求項１１】
前記ＴＭ信号のシンボル期間が、前記正弦波信号の周期の整数倍である、請求項１乃至１０のいずれかに記載の送信器。
【請求項１２】
更に、前記ＴＭ変調搬送波信号を送信する前に前記ＴＭ変調搬送波信号をフィルタリングすることを含む、請求項１乃至１１のいずれかに記載の送信器。
【請求項１３】
前記搬送波信号が、中間周波数搬送波信号であり、方法は、更に、前記ＴＭ変調搬送波信号を送信搬送波信号の周波数にシフトアップすることを含む、請求項１乃至１２のいずれかに記載の送信器。
【請求項１４】
前記少なくとも１つのプロセッサが、フィールドプログラマブルゲートアレイ（ＦＰＧＡ）、特定用途向け集積回路（ＡＳＩＣ）又はソフトウェア無線（ＳＤＲ）のうちの１つを含む、請求項１乃至１３のいずれかに記載の送信器。
【請求項１５】
受信器であって、
少なくとも１つのプロセッサと、
前記少なくとも１つのプロセッサに結合され、命令が記憶されたデータストアと、を備え、前記命令は、前記少なくとも１つのプロセッサによって実行されたときに、前記少なくとも１つのプロセッサに、
転置変調（ＴＭ）信号で変調された搬送波信号を含む変調搬送波信号を受け取る操作と、
前記変調信号のシンボル期間全体にわたる前記変調搬送波信号の平均位相を決定する操作と、
前記搬送波信号の前記平均位相に基づいて基準信号を生成する操作と、
前記変調搬送波信号と前記基準信号の間の経時変化位相差を決定することによって前記搬送波信号から前記ＴＭ信号を抽出する操作であって、前記経時変化位相差が前記ＴＭ信号を表す操作と、
前記変調信号と前記基準信号の間の個別の位相シフトを識別することによって前記ＴＭ信号を復調する操作とを含む操作を実行させる、受信器。
【請求項１６】
前記変調搬送波信号を中間周波数にシフトする操作を更に含む、請求項１５に記載の受信器。
【請求項１７】
前記変調搬送波信号をベースバンドにシフトする操作を更に含む、請求項１５又は１６に記載の受信器。
【請求項１８】
前記ＴＭ信号を復調する操作が、更に、前記ＴＭ信号の前記振幅シフトを検出する操作を含む、請求項１５乃至１７のいずれかに記載の受信器。
【請求項１９】
前記少なくとも１つのプロセッサが、フィールドプログラマブルゲートアレイ（ＦＰＧＡ）、特定用途向け集積回路（ＡＳＩＣ）又はソフトウェア無線（ＳＤＲ）のうちの１つを含む、請求項１５乃至１８のいずれかに記載の受信器。
【発明の詳細な説明】
【背景技術】
【０００１】
情報信号をある場所から別の場所に送信するために搬送波変調技術が使用される。従来の信号変調技術には、例えば、振幅変調（ＡＭ）、周波数変調（ＦＭ）、位相変調（ＰＭ）が挙げられる。更に、直角位相シフト変調（ＱＰＳＫ）、振幅位相シフト変調（ＡＰＳＫ）及び直角位相振幅変調方式（ＱＡＭ）などのＡＭ、ＦＭ及びＰＭの様相を取り入れた複雑な変調技術が存在する。
【先行技術文献】
【特許文献】
【０００２】
【特許文献１】米国特許第９，０１４，２９３号明細書
【特許文献２】米国特許第９，３３８，０４１号明細書
【特許文献３】米国特許第９，３３８，０４２号明細書
【特許文献４】米国特許第９，４７３，９８３号明細書
【特許文献５】米国特許第９，５１５，８１５号明細書
【特許文献６】米国特許第９，５１６，４９０号明細書
【特許文献７】米国特許第９，６２８，３１８号明細書
【発明の概要】
【課題を解決するための手段】
【０００３】
本明細書は、転置変調（ＴＭ）を使用して電子通信を行うための方法及びシステムに関する。より具体的には、本明細書は、ＴＭ信号を生成するための方法及びシステム、並びにＴＭ信号を復調するための方法及びシステムに関する。
【０００４】
第１の態様において、開示は、正弦波信号を生成することによって転置変調（ＴＭ）信号を生成する操作と、データ信号に基づいて正弦波信号を変調してＴＭ信号を提供する操作とを含む、搬送波信号を変調する方法を特徴とする。ＴＭ信号を搬送波信号に挿入してＴＭ変調搬送波信号を提供する。ＴＭ変調搬送波信号を非ＴＭ信号で変調して結合信号を提供する。結合信号を送信する。この態様の他の実施態様は、コンピュータ記憶装置上で符号化され、方法の操作を実行するように構成された対応システム、装置及びコンピュータプログラムを含む。
【０００５】
第２の態様において、開示は、正弦波信号を生成することによって転置変調（ＴＭ）信号を生成する操作と、データ信号に基づいて正弦波信号の位相を変調してＴＭ信号を提供する操作とを含む搬送波信号を変調する方法を特徴とする。ＴＭ信号を搬送波信号に挿入してＴＭ変調搬送波信号を提供する。ＴＭ変調搬送波信号を送信する。この態様の他の実施態様は、コンピュータ記憶装置上に符号化された、方法の操作を実行するように構成された対応するシステム、装置及びコンピュータプログラムを含む。
【０００６】
これら及び他の実施態様はそれぞれ、必要に応じて、以下の特徴の１つ以上を含みうる。幾つかの実施態様では、ＴＭ信号を搬送波信号に挿入することは、搬送波信号の位相にＴＭ信号を挿入してＴＭ変調搬送波信号を提供することを含む。幾つかの実施態様では、ＴＭ信号は、ＴＭ信号を搬送波信号の位相に追加することによって搬送波信号の位相に挿入される。
【０００７】
幾つかの実施態様では、ＴＭ信号を搬送波信号に挿入することは、搬送波信号の周波数にＴＭ信号を挿入してＴＭ変調搬送波信号を提供することを含む。幾つかの実施態様では、ＴＭ信号は、ＴＭ信号を搬送波信号の周波数に追加することによって搬送波信号の周波数に挿入される。
【０００８】
幾つかの実施態様では、正弦波信号は、非ＴＭ信号のデータシンボルのシンボルレートの整数倍の周波数を有する。
【０００９】
幾つかの実施態様では、データ信号に基づいて正弦波信号を変調してＴＭ信号を提供することは、データ信号に基づいて正弦波信号の位相を変調してＴＭ信号を提供することを含む。
【００１０】
幾つかの実施形態において、データ信号に基づいて正弦波信号の位相を変調してＴＭ信号を提供することは、正弦波信号の位相をデータ信号内の各データ値の個別の位相シフトだけ変化させることを含む。幾つかの実施態様では、個別の位相シフトの値の変化は、正弦波信号の周期の整数倍に対応するように時間が合わされる。幾つかの実施態様では、各個別の位相シフトは、データ信号のデータ値を表すＴＭシンボルである。
【００１１】
幾つかの実施態様では、データ信号に基づいて正弦波信号を変調することは、データ信号に基づいて正弦波信号の位相と振幅の両方を変調してＴＭ信号を提供することを含む。
【００１２】
幾つかの実施態様では、ＴＭ信号のシンボル期間は、正弦波信号の周期の整数倍である。
【００１３】
幾つかの実施態様では、非ＴＭ変調信号は、ＱＡＭ信号である。
【００１４】
幾つかの実施態様では、非ＴＭ信号は、振幅変調信号、周波数変調信号又は位相変調信号である。
【００１５】
幾つかの実施態様では、データ信号は、第１のデータ信号であり、非ＴＭ信号は、第２のデータ信号に基づいて変調される。幾つかの実施態様では、第２のデータ信号は、第１のデータ信号とは異なる。幾つかの実施態様では、第１のデータ信号は、第３のデータ信号の第１の部分を含み、第２のデータ信号は、第３のデータ信号の第２の部分を含む。
【００１６】
幾つかの実施態様では、方法は、結合信号を送信する前に結合信号をフィルタリングすることを含む。
【００１７】
幾つかの実施態様では、搬送波信号は、中間周波数搬送波信号であり、方法は、更に、結合信号を送信搬送波信号の周波数にシフトアップすることを含む。
【００１８】
幾つかの実施態様では、データ信号に基づいて正弦波信号を変調してＴＭ信号を提供することは、データ信号に基づいて正弦波信号の振幅を変調してＴＭ信号を提供することを含む。幾つかの実施態様では、ＴＭ信号のシンボル期間は、正弦波信号の半周期の整数倍である。
【００１９】
第３の態様では、開示は、搬送波信号を非転置変調（非ＴＭ）信号で変調して非ＴＭ変調搬送波信号を提供する操作を含む搬送波信号を変調する方法を特徴とする。正弦波信号を生成し、データ信号に基づいて正弦波信号を変調することによって転置変調（ＴＭ）信号を生成してＴＭ信号を提供する。ＴＭ信号を非ＴＭ変調搬送波信号に挿入して結合信号を提供する。結合信号を送信する。この態様の他の実施態様は、コンピュータ記憶装置上に符号化された、方法の操作を実行するように構成された対応するシステム、装置及びコンピュータプログラムを含む。
【００２０】
これら及び他の実施態様はそれぞれ、必要に応じて、以下の特徴の１つ以上を含みうる。幾つかの実施態様では、ＴＭ信号を非ＴＭ変調搬送波信号に挿入することは、ＴＭ信号を非ＴＭ変調搬送波信号の位相に挿入して結合信号を提供することを含む。幾つかの実施態様では、ＴＭ信号は、ＴＭ信号を非ＴＭ変調搬送波信号の位相に追加することによって非ＴＭ変調搬送波信号の位相に挿入される。
【００２１】
幾つかの実施態様では、ＴＭ信号を非ＴＭ変調搬送波信号に挿入することは、ＴＭ信号を非ＴＭ変調搬送波信号の周波数に挿入して結合信号を提供することを含む。幾つかの実施態様では、ＴＭ信号は、ＴＭ信号を非ＴＭ変調搬送波信号の周波数に追加することによって非ＴＭ変調搬送波信号の周波数に挿入される。
【００２２】
幾つかの実施態様では、正弦波信号は、非ＴＭ信号のデータシンボルのシンボルレートの整数倍の周波数を有する。
【００２３】
幾つかの実施態様では、データ信号に基づいて正弦波信号を変調してＴＭ信号を提供することは、データ信号に基づいて正弦波信号の位相を変調してＴＭ信号を提供することを含む。
【００２４】
幾つかの実施形態では、データ信号に基づいて正弦波信号の位相を変調してＴＭ信号を提供することは、正弦波信号の位相をデータ信号内の各データ値の個別の位相シフトだけ変化させることを含む。幾つかの実施態様では、個別の位相シフトの値の変化は、正弦波信号の周期の整数倍に対応するように時間が合わされる。幾つかの実施態様では、各個別の位相シフトは、データ信号のデータ値を表すＴＭシンボルである。
【００２５】
幾つかの実施態様では、データ信号に基づいて正弦波信号を変調することは、データ信号に基づいて正弦波信号の位相と振幅の両方を変調してＴＭ信号を提供することを含む。
【００２６】
幾つかの実施態様では、ＴＭ信号のシンボル期間は、正弦波信号の周期の整数倍である。
【００２７】
幾つかの実施態様では、非ＴＭ変調信号は、ＱＡＭ信号である。
【００２８】
幾つかの実施態様では、非ＴＭ信号は、振幅変調信号、周波数変調信号又は位相変調信号である。
【００２９】
幾つかの実施態様では、データ信号は、第１のデータ信号であり、非ＴＭ信号は、第２のデータ信号に基づいて変調される。幾つかの実施態様では、第２のデータ信号は、第１のデータ信号とは異なる。幾つかの実施態様では、第１のデータ信号は、第３のデータ信号の第１の部分を含み、第２のデータ信号は、第３のデータ信号の第２の部分を含む。
【００３０】
幾つかの実施態様では、方法は、結合信号を送信する前に、結合信号をフィルタリングすることを含む。
【００３１】
幾つかの実施態様では、搬送波信号は、中間周波数搬送波信号であり、方法は、更に、結合信号を送信搬送波信号の周波数にシフトアップすることを含む。
【００３２】
幾つかの実施態様では、データ信号に基づいて正弦波信号を変調してＴＭ信号を提供することは、データ信号に基づいて正弦波信号の振幅を変調してＴＭ信号を提供することを含む。幾つかの実施態様では、ＴＭ信号のシンボル期間は、正弦波信号の半周期の整数倍である。
【００３３】
第４の態様では、開示は、転置変調（ＴＭ）信号と非ＴＭ信号の両方で変調された搬送波信号を含む結合信号を受け取る操作を含む搬送波信号を復調する方法を特徴とする。非ＴＭ信号のそれぞれのシンボルフレーム全体にわたって結合信号の平均値を決定する。結合信号の平均値に基づいて非ＴＭ信号を復調する。結合信号から非ＴＭ信号を除去する。更に、ＴＭ信号を復調する。この態様の他の実施態様は、コンピュータ記憶装置上に符号化された、方法の操作を実行するように構成された対応するシステム、装置及びコンピュータプログラムを含む。
【００３４】
これら及び他の実施態様はそれぞれ、必要に応じて、以下の特徴の１つ以上を含みうる。幾つかの実施態様では、平均値を決定することは、非ＴＭ信号のそれぞれのシンボルフレーム全体にわたる結合信号の平均マグニチュード値を決定することを含む。
【００３５】
幾つかの実施態様では、平均値を決定することは、非ＴＭ信号のそれぞれのシンボルフレーム全体にわたる結合信号の平均位相値を決定することを含む。
【００３６】
幾つかの実施態様では、平均値を決定することは、非ＴＭ信号のそれぞれのシンボルフレーム全体にわたる結合信号の平均マグニチュード値と平均位相値を決定することを含む。
【００３７】
幾つかの実施態様では、非ＴＭ信号は、ＱＡＭ信号である。
【００３８】
幾つかの実施態様では、方法は、結合信号を中間周波数にシフトさせることを含む。
【００３９】
幾つかの実施態様では、方法は、結合信号をベースバンドにシフトさせることを含む。
【００４０】
幾つかの実施態様では、結合信号から非ＴＭ信号を除去することは、結合信号のバッファコピーから非ＴＭ信号を除去することを含む。幾つかの実施態様では、結合信号から非ＴＭ信号を除去することは、非ＴＭ信号の回復されたシンボル値を使用して結合信号のバッファコピーから非ＴＭ信号を除去することを含む。幾つかの実施形態において、結合信号から非ＴＭ信号を除去することは、結合信号のそれぞれのフレームを、非ＴＭ信号の回復されたシンボル値の対応するもののマグニチュードと位相値によって分割することを含む。
【００４１】
幾つかの実施態様では、ＴＭ信号を復調することは、搬送波信号の位相からＴＭ信号を抽出し、ＴＭ信号の個別の位相シフトを検出することを含む。
【００４２】
幾つかの実施態様では、ＴＭ信号を復調することは、搬送波信号の位相からＴＭ信号を抽出すること、及びＴＭ信号の位相シフトと振幅シフトを検出することを含む。
【００４３】
第５の態様では、開示は、転置変調（ＴＭ）信号で変調された搬送波信号を含む変調搬送波信号を受け取る操作を含む搬送波信号を復調する方法を特徴とする。変調信号のシンボル期間全体にわたる変調搬送波信号の平均位相を決定する。搬送波信号の平均位相に基づいて基準信号を生成する。変調搬送波信号と基準信号の間の経時変化位相差を決定することによって搬送波信号からＴＭ信号を抽出し、経時変化位相差はＴＭ信号を表す。また、変調信号と基準信号の間の個別の位相シフトを識別することによってＴＭ信号を復調する。この態様の他の実施態様は、コンピュータ記憶装置上に符号化された、方法の操作を実行するように構成された対応するシステム、装置及びコンピュータプログラムを含む。
【００４４】
これら及び他の実施態様はそれぞれ、必要に応じて、以下の特徴の１つ以上を含みうる。幾つかの実施態様では、方法は、変調搬送波信号を中間周波数にシフトさせることを含む。幾つかの実施態様では、方法は、変調搬送波信号をベースバンドにシフトすることを含む。幾つかの実施態様では、ＴＭ信号を復調することは、更に、ＴＭ信号の振幅シフトを検出することを含む。
【００４５】
第６の態様では、開示は、転置変調（ＴＭ）信号発生器、非ＴＭ信号変調器、及びＴＭ信号発生器と非ＴＭ信号変調器に結合された内部搬送波変調器を含む送信器を特徴とする。ＴＭ信号発生器は、第１のデータ信号を受け取り、第１のデータ信号に基づいて正弦波信号を変調することによってＴＭ信号を生成してＴＭ信号を提供するように構成される。非ＴＭ信号変調器は、第２のデータ信号に基づいて搬送波信号を非ＴＭ信号で変調するように構成される。内部搬送波変調器は、ＴＭ信号発生器からＴＭ信号を受け取り、ＴＭ信号を搬送波信号に挿入するように構成される。
【００４６】
以上及びその他の実施態様はそれぞれ、必要に応じて、以下の特徴の１つ以上を含みうる。幾つかの実施形態において、ＴＭ信号発生器は、第１のデータ信号に基づいて正弦波信号の位相を変調することによってＴＭ信号を生成してＴＭ信号を提供するように構成されたフレーム式信号変調器を含む。幾つかの実施形態において、データ信号に基づいて正弦波信号の位相を変調してＴＭ信号を提供することは、正弦波信号の位相をデータ信号内の各データ値の個別の位相シフトだけ変化させることを含む。幾つかの実施態様では、個別の位相シフトの値の変化は、正弦波信号の周期の整数倍に対応するように時間が合わされる。幾つかの実施態様では、各個別の位相シフトは、データ信号のデータ値を表すＴＭシンボルである。
【００４７】
幾つかの実施形態において、ＴＭ信号発生器は、第１のデータ信号に基づいて正弦波信号の振幅を変調することによってＴＭ信号を生成してＴＭ信号を提供するように構成されたフレーム式信号変調器を含む。幾つかの実施態様では、ＴＭ信号のシンボル期間は、正弦波信号の半周期の整数倍である。
【００４８】
幾つかの実施形態において、ＴＭ信号発生器は、第１のデータ信号に基づいて正弦波信号の位相と振幅の両方を変調することによってＴＭ信号を生成してＴＭ信号を提供するように構成されたフレーム式信号変調器を含む。
【００４９】
幾つかの実施態様では、内部搬送波変調器は、ＴＭ信号を搬送波信号の位相に挿入するように構成される。
【００５０】
幾つかの実施態様では、内部搬送波変調器は、ＴＭ信号を搬送波信号の周波数に挿入するように構成される。
【００５１】
幾つかの実施態様では、正弦波信号は、非ＴＭ信号のシンボルレートの整数倍の周波数を有する。
【００５２】
幾つかの実施態様では、非ＴＭ変調信号は、ＱＡＭ信号である。
【００５３】
幾つかの実施態様では、非ＴＭ信号は、振幅変調信号、周波数変調信号又は位相変調信号である。
【００５４】
幾つかの実施態様では、第２のデータ信号は、第１のデータ信号とは異なる。
【００５５】
幾つかの実施態様では、第１のデータ信号は、第３のデータ信号の第１の部分を含み、第２のデータ信号は、第３のデータ信号の第２の部分を含む。
【００５６】
幾つかの実施態様では、ＴＭ信号発生器は、更に、第１のデータ信号の値をＴＭ信号のＴＭシンボルに符号化するように構成されたＴＭシンボルマッパを含む。
【００５７】
幾つかの実施態様では、ＴＭシンボルは、位相シフト、振幅シフト、又は位相シフトと振幅シフトの両方を含む。
【００５８】
第７の態様では、開示は、フレーム平均化信号推定器、フレーム平均化信号推定器に結合された転置変調（ＴＭ）信号分離器、ＴＭ信号分離器に結合されたＴＭ信号復調器、及びフレーム平均化信号推定器に結合された非ＴＭ信号復調器を含む受信器を特徴とする。フレーム平均化信号推定器は、転置変調（ＴＭ）信号と非ＴＭ信号の両方で変調された搬送波信号を誘導する結合信号を受け取り、非ＴＭ信号のそれぞれのシンボルフレーム全体にわたる結合信号の平均値を決定するように構成される。ＴＭ信号分離器は、結合信号の非ＴＭ信号からＴＭ信号を分離するように構成される。ＴＭ信号復調器は、ＴＭ信号を復調するように構成される。非ＴＭ信号復調器は、結合信号の平均値に基づいて非ＴＭ信号を復調するように構成される。
【００５９】
以上及び他の実施態様はそれぞれ、必要に応じて、以下の特徴の１つ以上を含みうる。幾つかの実施形態において、フレーム平均化信号推定器は、非ＴＭ信号のそれぞれのシンボルフレーム全体にわたる結合信号の平均マグニチュード値を決定することによって結合信号の平均値を決定するように構成される。
【００６０】
幾つかの実施形態において、フレーム平均化信号推定器は、非ＴＭ信号のそれぞれのシンボルフレーム全体にわたる結合信号の平均位相値を決定することによって結合信号の平均値を決定するように構成される。
【００６１】
幾つかの実施態様において、フレーム平均化信号推定器は、非ＴＭ信号のそれぞれのシンボルフレーム全体にわたる結合信号の平均マグニチュード値と平均位相値を決定することによって、結合信号の平均値を決定するように構成される。
【００６２】
幾つかの実施態様では、非ＴＭ信号は、ＱＡＭ信号である。
【００６３】
幾つかの実施態様では、ＴＭ信号分離器は、結合信号のバッファコピーから非ＴＭ信号を除去することによって非ＴＭ信号からＴＭ信号を分離するように構成される。
【００６４】
幾つかの実施態様では、ＴＭ信号分離器は、非ＴＭ信号の復元されたシンボル値を使用することによって非ＴＭ信号からＴＭ信号を分離して、結合信号のバッファコピーから非ＴＭ信号を除去するように構成される。
【００６５】
幾つかの実施態様では、ＴＭ信号分離器は、結合信号のそれぞれのフレームを非ＴＭ信号の復元されたシンボル値の対応する１つのマグニチュードと位相値によって分割することによって、非ＴＭ信号からＴＭ信号を分離するように構成される。
【００６６】
幾つかの実施態様では、ＴＭ信号復調器は、搬送波信号の位相からＴＭ信号を抽出し、ＴＭ信号の個別の位相シフトを検出するように構成される。
【００６７】
幾つかの実施態様では、ＴＭ信号復調器は、搬送波信号の位相からＴＭ信号を抽出し、ＴＭ信号の位相シフトと振幅シフトを検出するように構成される。
【００６８】
本明細書に記載された内容の特定の実施態様は、以下の利点の１つ以上を実現するように実施されうる。実施態様は、従来の変調方式を使用して送信される信号のデータ転送速度を高めうる。実施態様は、単一の搬送周波数で２つの異なるように変調された信号の組み合わせを可能にできる。実施態様は、個別の有線又は無線データリンクのデータスループットを高めうる。
【００６９】
本明細書に記載された内容の１つ以上の実施態様の詳細は、添付図面と以下の記述で説明される。本発明の他の特徴、態様及び利点は、説明、図面及び特許請求の範囲から明らかになる。
【図面の簡単な説明】
【００７０】
【図１】本開示の実施態様による例示的システムを表す図である。
【図２】本開示の実施態様による代表的ＴＭ信号送信器のブロック図である。
【図３Ａ】本開示の実施態様によるＴＭシンボルの典型的なシンボルマップの表である。
【図３Ｂ】図２のＴＭ送信器内の様々な段階で生成される代表的信号のグラフである。
【図３Ｃ】図２のＴＭ送信器内の様々な段階で生成される代表的信号のグラフである。
【図３Ｄ】図２のＴＭ送信器内の様々な段階で生成される代表的信号のグラフである。
【図３Ｅ】図２のＴＭ送信器内の様々な段階で生成される代表的信号のグラフである。
【図３Ｆ】図２のＴＭ送信器内の様々な段階で生成される代表的信号のグラフである。
【図３Ｇ】図２のＴＭ送信器内の様々な段階で生成される代表的信号のグラフである。
【図４】本開示の実施態様による別の代表的ＴＭ信号送信器のブロック図である。
【図５】本開示の実施態様による代表的なＴＭ信号受信器のブロック図である。
【図６】本開示の実施態様による非ＴＭ信号のシンボルフレーム全体にわたるＴＭ信号の位相相殺を示すグラフである。
【図７】本開示の実施態様による代表的ＴＭ信号復調器のブロック図である。
【図８】本開示の実施態様による別の代表的なＴＭ信号受信器のブロック図である。
【図９】本開示の実施態様により実行されうる例示的プロセスを表す図である。
【図１０】本開示の実施態様により実行されうる例示的プロセスを表す図である。
【００７１】
様々な図面における類似の参照番号及び指示は類似の要素を示す。
【発明を実施するための形態】
【００７２】
本開示の実施態様は、一般に、転置変調（ＴＭ）を使用する電子通信の実行に関する。より具体的には、実施態様は、ＴＭ信号を生成するための方法及びシステム、並びにＴＭ信号を復調するための方法及びシステムに関する。
【００７３】
本明細書で使用されるとき、用語「転置変調」、「ＴＭ変調」、「ＴＭ」、及び「ＴＭ信号」は、従来の受信器又は復調器（例えば、非ＴＭ対応受信器／復調器）によって見られるような、搬送波信号（又は、そのような技術により変調された信号）の振幅、周波数又は位相に影響を及ぼすことなく搬送波信号に情報を追加する技術を指す。例えば、後述されるように、転置変調信号は、本明細書で「内部ＴＭ変調」技術と呼ばれる技術によって生成されうる。この技術では、搬送波信号に適用される周期信号（「内部ＴＭ変調信号」）を変化させることによって情報が伝えられる。搬送波自体又は搬送波によって伝送される別の従来の変調信号（例えば、非ＴＭ信号）に対するＴＭ内部変調信号の作用は、非ＴＭ変調信号のシンボルフレーム全体にわたって打ち消し合い、その結果、従来の信号復調器によって検出できなくなる。更に、転置変調を生成する他のプロセスは、例えば、搬送波信号の高調波を変化させる（例えば、転置、タイムシフトする）ことによって情報が伝えられる一種の変調を含む。例えば、転置変調は、搬送波信号の第３高調波又は他の高調波（例えば、第４高調波、第５高調波、第６高調波など）を変化させることによって生成されうる（転置変調を生成するための「高調波ＴＭ変調」技術と呼ばれる）。転置変調信号を生成する他のプロセスは、データを表すために搬送波の反曲点を変調することを含む（転置変調を生成するための「広帯域ＴＭ変調」技術と呼ばれる）。転置変調の使用及び／又はＴＭ信号の変調及び復調を行うための他の技術について述べる他の文書の例には、「ＴＲＡＮＳＰＯＳＩＴＩＯＮＡＬ  ＭＯＤＵＬＡＴＩＯＮ  ＳＹＳＴＥＭＳ  ＡＮＤ  ＭＥＴＨＯＤＳ」と題する特許文献１、「ＥＸＴＲＡＣＴＩＮＧ  ＣＡＲＲＩＥＲ  ＳＩＧＮＡＬＳ  ＦＲＯＭ  ＭＯＤＵＬＡＴＥＤ  ＳＩＧＮＡＬＳ」と題する特許文献２、「ＳＥＰＡＲＡＴＩＮＧ  ＡＮＤ  ＥＸＴＲＡＣＴＩＮＧ  ＭＯＤＵＬＡＴＥＤ  ＳＩＧＮＡＬＳ」と題する特許文献３、「ＴＲＡＮＳＰＯＳＩＴＩＯＮＡＬ  ＭＯＤＵＬＡＴＩＯＮ  ＣＯＭＭＵＮＩＣＡＴＩＯＮＳ  ＢＥＴＷＥＥＮ  ＤＥＶＩＣＥＳ」と題する特許文献４、「ＴＲＡＮＳＰＯＳＩＴＩＯＮＡＬ  ＭＯＤＵＬＡＴＩＯＮ  ＳＹＳＴＥＭＳ，  ＭＥＴＨＯＤＳ  ＡＮＤ  ＤＥＶＩＣＥＳ」と題する特許文献５、「ＩＤＥＮＴＩＦＹＩＮＧ  ＤＥＶＩＣＥＳ  ＷＩＴＨ  ＴＲＡＮＳＰＯＳＩＴＩＯＮＡＬ  ＭＯＤＵＬＡＴＩＯＮ」と題する特許文献６、及び「ＴＲＡＮＳＰＯＳＩＴＩＯＮＡＬ  ＭＯＤＵＬＡＴＩＯＮ  ＣＯＭＭＵＮＩＣＡＴＩＯＮＳ」と題する特許文献７が挙げられる。上記技術のそれぞれによって生成されたＴＭ信号は、ＴＭ信号が従来の復調器（例えば、非ＴＭ復調器）によって見られるような搬送波信号の振幅、周波数又は位相に影響を及ぼすことなく情報を搬送波信号に追加すること、及びＴＭ信号が、従来の復調器（例えば、振幅、周波数又は位相変調信号に使用されるもの）によって検出できないという同じ特徴を共有する。
【００７４】
図１は、本開示の実施態様による例示的システム１００を表す。システム１００は、通信装置１０２のシステムである。システム１００は、無線周波数（ＲＦ）通信システム、衛星通信システム、陸線通信システム（例えば、電話通信又はケーブルネットワーク）、光通信システム、コンピュータネットワーク、又は通信装置１０２の任意の他のシステムでよい。通信装置１０２は、従来の変調技術を使用して搬送波信号を情報信号で変調し、ある通信装置１０２から別の通信装置に対して変調信号を送受信するためのシステムを含む。例えば、通信装置Ａは、セルラ基地局でよく、通信装置Ｂ及びＣは、モバイル装置（例えば、スマートフォン）でよい。
【００７５】
通信装置Ａ、Ｂ及びＣには、従来の（例えば、非ＴＭ）送信器及び受信器が含まれる。従来の変調技術には、例えば、直角位相シフト変調（ＱＰＳＫ）、振幅位相シフト変調（ＡＰＳＫ）及び直角位相振幅変調（ＱＡＭ）などのＡＭ、ＦＭ及びＰＭの様相を含む複雑な変調技術に加えて、振幅変調（ＡＭ）、周波数変調（ＦＭ）及び位相変調（ＰＭ）が含まれる。更に、通信装置Ａ及びＢには、ＴＭ送信器１０４及びＴＭ受信器１０６が含まれる。幾つかの例において、ＴＭ送信器１０４及び／又はＴＭ受信器１０６は、従来の送信器及び受信器と一体化されうる。ＴＭ送信器１０４及び／又はＴＭ受信器１０６は、ハードウェア装置（例えば、集積回路、チップセット、特定用途向け集積回路（ＡＳＩＣ）又はフィールドプログラマブルロジックアレイ（ＦＰＧＡ））として実現されてもよく、ソフトウェア（例えば、ソフトウェア無線（ＳＤＲ）として）で実現されてもよい。
【００７６】
システム１００は、非ＴＭ（例えば、従来の方法で変調された）信号１０８を同じ搬送波上のＴＭ変調信号１１０とＴＭ送信器１０４を使用して結合でき、それにより、結合信号１１２の全体のデータ転送速度が高くなる。ＴＭ変調信号１１０は、結合信号１１２から分離されＴＭ受信器１０６によって復調されうる。同様に、従来変調信号１０８は、ＴＭ変調信号１１０によって著しい干渉が引き起こされることなく個々に復調されうる。これは、従来変調信号でのノイズのわずかな増大として現れずに、非ＴＭ受信器がＴＭ変調信号を判読できないために可能である。
【００７７】
例えば、通信装置Ａは、ＱＡＭ信号１０８とＴＭ変調信号１１０を含む結合信号１１２を同じ搬送波信号で送信できる。次に、通信装置Ｂが、結合信号１１２を受信できる。通信装置Ｂ内の非ＴＭ受信器が、非ＴＭ信号１０８を検出し復調するために使用される。通信装置ＢのＴＭ受信器１０６は、結合信号１１２からＴＭ変調信号１１０を分離し抽出し、次にＴＭ変調信号１１０を復調してＴＭ変調データ信号を得る。他方、ＴＭ受信器１０６のない通信装置Ｃは、ＴＭ変調信号１１０ではなく従来変調信号１０８だけを検出し復調する。
【００７８】
幾つかの実施態様では、搬送波信号は、中間周波数（ＩＦ）搬送波信号でよい。即ち、搬送波信号は、必ずしも信号が最終的に送信される同じ周波数の搬送波ではなく、信号送信又は受信の中間ステップとしてシステム（例えば、衛星通信システム）内部で使用されるＩＦでよい。即ち、信号送信の場合、システムが、結合信号１１２を送信する前に結合信号１１２をＩＦ信号から送信搬送波周波数にアップコンバートできる。これと反対に、信号受信の場合、システムは、ＴＭ変調信号１１０を結合信号１１２から分離する前に、変調信号を送信搬送波周波数からＩＦ周波数にダウンコンバートできる。他の実施態様では、ＩＦ搬送波信号が使用されなくてもよく、送信搬送波信号は、従来変調信号とＴＭ変調信号の両方で変調されうる。
【００７９】
通信装置Ａ、Ｂ及びＣの間の電子通信は、有線通信チャネル、無線通信チャネル又はこれらの両方によって行われうる。例えば、通信装置１０２は、衛星通信チャネル、無線コンピュータネットワーク通信チャネル、及び移動体通信チャネルを含むがこれらに限定されない無線チャネルによって無線通信を行うための１つ以上のアンテナを備えるように構成されうる。通信装置１０２は、電話網、ケーブルネットワーク、イーサネット（登録商標）ネットワーク又はシリアル通信チャネル（例えばＵＳＢ、Ｔｈｕｎｄｅｒｂｏｌｔなど）を含むがこれらに限定されない有線通信チャネルによって通信を行うように構成されうる。通信装置１０２は、セルラ基地局、移動通信装置（例えば、携帯電話、スマートフォン、タブレットコンピュータ、ウェアラブルデバイス）、衛星基地局、衛星ラジオ、コンピュータネットワーク装置（例えば、サーバ、ルータ、無線ネットワークアクセスポイント、又は無線ネットワークルータ）、コンピュータ（例えば、ラップトップ又はデスクトップコンピュータ）、インターネットオブシングス（ＩｏＴ）装置、コンピュータ周辺装置（例えば、プラグアンドプレイ装置）、近距離通信トランシーバ、ブロードキャスト及び／又はケーブルキャストネットワーク装置（例えば、ケーブルテレビ受信機）、ブロードバンド／ケーブルモデム、通信装置自律走行車通信など（例えば、セルフドライビング車両、無人飛行機（ＵＡＶ））などが挙げられうる。
【００８０】
図２は、本開示の実施態様による代表的なＴＭ信号送信器１０４のブロック図を表す。ＴＭ送信器１０４は、一体型ＴＭ送信器である。即ち、ＴＭ送信器１０４は、非ＴＭ送信器構成要素と一体化される。ＴＭ送信器１０４は、ハードウェア（例えば、集積回路、チップセット、特定用途向け集積回路（ＡＳＩＣ）又はフィールドプログラマブルロジックアレイ（ＦＰＧＡ）として）、又はソフトウェア（例えば、ソフトウェア無線（ＳＤＲ）として）で実現されうる。ＴＭ送信器１０４は、より詳細に後述される幾つかの構成要素モジュールを含む。
【００８１】
考察を単純にするために、ＴＭ送信器１０４は、ＴＭ信号をＱＡＭ信号と結合する文脈で例示され述べられる。しかしながら、ＴＭ送信器１０４は、ＴＭを、ＡＭ、ＦＭ、ＰＭ、ＱＰＳＫ、ＡＰＳＫ、ＤＰＳＫ又はＦＳＫを含むがこれらに限定されない他の非ＴＭ変調タイプと組み合わせるように構成されうる。即ち、例えば、幾つかの実施態様では、ＱＡＭ構成要素２１０及び２１２は、ＰＳＫ変調を行うための対応する変調構成要素によって置き換えられてもよく補われてもよい。何らかの実施態様では、例えば、ＴＭ送信器１０４は、複数組の非ＴＭ変調構成要素を含みうる。ＴＭ送信器１０４は、構成された非ＴＭタイプの変調のいずれかを有する結合ＴＭ信号の中から選択するように構成されうる。例えば、プロセッサを使用して、通信チャネル状態（例えば、ノイズ、誤り率など）、受信装置の能力（例えば、受信器がどの非ＴＭ信号を受信できるか）、送信されるデータの優先順位、送信されるデータのサイズ、又は送信されるデータのタイプを含むがこれらに限定されない、ＴＭ信号ベース基準と組み合わせる幾つかの非ＴＭ信号タイプの中から選択できる。
【００８２】
全体として、ＴＭ送信器１０４は、複数の入力データ信号を受信し、ＴＭ信号と非ＴＭ信号の両方を使用するコモン搬送波上で送信するためにデータ信号を処理する。ＴＭ送信器１０４は、入力データ信号２０２ａ，２０２ｂ（データストリーム１とデータストリーム２）を受信する。入力データ信号２０２ａ及び２０２ｂは、１つ以上の受信器に送信されるものである。図示された実施態様では、ＴＭ送信器１０４は、ＴＭ変調を使用してデータストリーム１からのデータで搬送波信号を変調し、ＱＡＭ変調を使用してデータストリーム２からのデータで同じ搬送波を変調する。データストリーム１とデータストリーム２は、２つの独立したデータストリームでよい。したがって、ＴＭ送信器１０４は、２つのデータ信号を同じ搬送波で送信することによってシステムのデータスループットを高めうる。したがって、ＴＭ送信器１０４は、ある意味で、別個のＴＭ信号とＱＡＭ信号を使用して単一搬送波上で同時に２つの独立したデータ信号２０２ａ，２０２ｂを別々に送信することによって変調分割マルチプルアクセスを提供できる。
【００８３】
ＴＭ送信器１０４は、本明細書で「内部ＴＭ変調」と呼ばれる技術を使用してＴＭ信号を生成する。より詳細に後述されるように、内部ＴＭ変調は、内部変調信号（内部ＴＭ変調に関連して「内部ＴＭ信号」又は単に「ＴＭ信号」とも呼ばれる）の個別の位相シフト又は時間シフト内で入力データストリーム２０２ａからのデータの符号化を伴う。内部ＴＭ信号は、周期信号（例えば、正弦波、他の周期信号）である。内部ＴＭ信号は、ＴＭ信号が結合される非ＴＭ信号のシンボルフレーム（例えば、シンボル期間とシンボルレート）に関連した周波数を有する。例えば、内部ＴＭ信号は、非ＴＭ信号のシンボルレートの整数倍の周波数を有しうる。
【００８４】
ＴＭ送信器１０４は、搬送波信号に内部ＴＭ信号を適用することによってＴＭ信号で搬送波信号を変調する。内部ＴＭ変調は、搬送波信号の位相が入力データ信号に基づいて直接変調も変更もされない点が従来の位相変調と異なる。代わりに、内部ＴＭ信号は、データ信号によって変調され、正弦波内部ＴＭ信号全体は、例えば、正弦波内部ＴＭ信号全体を搬送波信号の位相又は周波数に挿入することによって、搬送波に適用される。データ信号２０２ａのデータは、内部ＴＭ信号の位相又は時間シフトで符号化され、搬送波で直接符号化されない。更に、内部ＴＭ信号は周期的なので、内部ＴＭ信号によって引き起こされる搬送波の位相の変化は、内部ＴＭ信号の整数倍周期にわたって平均化される（図３Ｂと図６に関してより詳細に後述される）。幾つかの実施態様では、ＴＭシンボルは、内部ＴＭ信号が内部ＴＭ信号の半周期の整数倍にわたって平均化されるように構成されうる。
【００８５】
より詳細には、ＴＭ送信器１０４は、幾つかのモジュールを含み、各モジュールは、ハードウェア又はソフトウェアで実現されうる。例えば、各モジュールは、集積回路、チップセット、ＡＳＩＣ、ＦＰＧＡ、ソフトウェアモジュール（例えば、１つ以上のコードブロック）、又はこれらの組み合わせとして、ハードウェアで実現されうる。ＴＭ送信器１０４は、ＴＭ信号発生器（ＴＭ−ＳＧ）２０４、搬送波発生器２０６、内部搬送波変調器２０８、ＱＡＭシンボルマッパ２１０及びＱＡＭ  Ｉ／Ｑ変調器２１２を含む。
【００８６】
ＴＭ−ＳＧ２０４は、内部変調信号を生成する。ＴＭ−ＳＧ２０４は、信号発生器２２０、信号フレーミングモジュール２２２、ＴＭシンボルマッパ２２４及びフレーム式信号変調器２２６を含む。信号発生器２２０は、内部変調信号を提供するように変調される周期信号を生成する。例えば、信号発生器２２０は、本明細書では、正弦波信号を生成するように記述される。しかしながら、他の実施態様では、様々な周期信号を使用して本明細書に記載されているような内部変調信号を生成できる。
【００８７】
正弦波信号は、一般にｓｉｎ（ωmｔ）として表すことができ、ここで、ωm＝２πｆである。正弦波信号の周波数ｆは、ＴＭ信号が結合されるＱＡＭ信号のシンボルレートに関連付けられる。信号発生器２２０の代表的出力（信号Ａ）は、図３Ｂのグラフ３１０に示される。例えば、正弦波信号（信号Ａ）の周波数は、近似的に、ＱＡＭシンボルマッパ２１０及びＱＡＭ  Ｉ／Ｑ変調器２１２によって生成されたＱＡＭシンボルのシンボルレートの整数倍でよい。したがって、正弦波信号（信号Ａ）の周期の整数倍はそれぞれ、ＱＡＭシンボル期間（ＴQAM_Sym）である。例えば、図３Ｂに示されたように、正弦波信号（信号Ａ）の約２周期は、各ＱＡＭシンボル期間内にある（例えば、図３Ｂの信号Ａの周波数は、ＱＡＭシンボルレートの約２倍である）。
【００８８】
信号フレーミングモジュール２２２は、正弦波信号をフレームに分割する。正弦波信号のフレームは、内部ＴＭ変調信号を生成するために個別に位相又は時間シフトされる正弦波の部分を表す。正弦波信号のフレーム化部分は、ＴＭシンボルのシンボル期間（ＴTM_Sym）も表す。例えば、図３Ｂのグラフ３１０は、フレームに分離された信号Ａを示す。フレーム化信号は、ｓｉｎ（ωmｔ）Frameによって表わされ、ここで、フレームの始まりｔ＝ｔF_startからフレームの終わりｔ＝ｔF_endまで、ｓｉｎ（ωmｔ）Frame＝ｓｉｎ（ωmｔ）である。信号フレーミングモジュール２２２は、各フレームが正弦波信号の周期の整数倍を含むように、正弦波信号のフレーミングを同期できる。換言すると、信号フレーミングモジュール２２２は、ＴＭシンボル期間が信号発生器２２０によって生成された正弦波信号の周期の整数倍と一致するようにフレームの時間を合わせる。図３Ｂのグラフ３１０は、フレーム１とフレーム２を正弦波信号Ａの２周期を含むように示す。ＴＭシンボル期間は、正弦波信号の任意の整数倍周期を含みうる。更に、後述され図３Ｄ及び図３Ｅに示されるように、ＴＭシンボルフレームは、ＱＡＭシンボル期間（図３Ｂに示されたような）と同じ長さでなくてもよい。ＴＭシンボルフレームは、ＱＡＭシンボル期間より短くても長くてもよい。
【００８９】
ＴＭシンボルマッパ２２４は、データを入力データ２０２ａからＴＭシンボルコンスタレーションのＴＭシンボルにマッピングする。ＴＭシンボルは、信号発生器２２０によって生成された正弦波信号の各フレーム内の異なる個別の位相シフトによって表わされうる。例えば、ＴＭシンボルマッパ２２４の出力（信号Ｂ）は、１組の２進数字の値を表す位相シフト値（θi）である。図３Ａは、ＴＭシンボルの典型的シンボルマップの表３００を表す。表３００は、８つの３ビットＴＭシンボルのマッピングを示す。バイナリデータの各３ビットセットは、正弦波信号（例えば、信号Ａ）の個別の位相シフト（例えば、θ0−θ7）に対応する。図示されたＴＭシンボルコンスタレーションは、８−ＴＭコンスタレーションであり、８−ＰＳＫコンスタレーションと類似する。８−ＴＭコンスタレーションサイズが示されているが、実施態様は、使用できるＮ進ＴＭコンスタレーションサイズは８シンボルより大きくても小さくてもよい。例えば、ＴＭコンスタレーションサイズは、４−ＴＭ、１６−ＴＭ、６４−ＴＭ、２５６−ＴＭ、又はそれより大きいＴＭを含む。位相θ0−θ7の差は、ＴＭコンスタレーションのシンボル間隔（Δθ）を表す。位相シフトの全範囲（例えば、シンボル空間）は、πから−（π−Δθ）まででよい。
【００９０】
フレーム式信号変調器２２６は、内部変調信号（例えば、ＴＭ信号）を生成する。フレーム式信号変調器２２６は、正弦波信号の各フレームに適切な位相シフトを適用することによって正弦波信号（信号Ａ）を変調して、入力データ信号２０２ａからのデータを表現する。例えば、フレーム式信号変調器２２６は、ＴＭシンボルマッパ２２４からの位相シフトデータを受け取り、正弦波信号のそれぞれのフレームの位相を対応する量だけシフトして、入力データ信号２０２ａからのデータを正確に表現する。フレーム式信号変調器２２６（信号Ｃ）の出力は、内部ＴＭ信号である。
【００９１】
例えば、図３Ｂのグラフ３１２は、代表的な内部ＴＭ信号（信号Ｃ）を示す。信号Ｃは、信号Ｃの個別の位相シフトを明確に示すために、無変調正弦波信号（信号Ａ）の真下に示される。第１のＴＭシンボル（信号Ｃのフレーム１）は、２進値０１１ｂを表すために４５°シフトされる。第２のＴＭシンボル（信号Ｃのフレーム２）は、２進数値１０１ｂを表すために−２２．５°シフトされる。信号Ｃで分かるように、ＴＭシンボル期間が信号Ａの周期の整数倍なので、各フレーム中の信号Ｃの平均値は０のままである。
【００９２】
内部ＴＭ信号の各フレームは、一般にΦΤΜ（ｔ）＝εｓｉｎ（ωmｔ＋θk）と表すことができ、ここで、ΦΤΜ（ｔ）は、内部ＴＭ信号を表わし、θkは、第ｋフレームＴＭシンボルの位相シフトを表わし、εはＴＭ変調指数である。ＴＭ変調指数εは、搬送波の位相の過変調を回避するためにπより小さい（例えば、π／２）最大値に設定される。更に、変調指数、位相シフト値θk又はこれらの両方は、搬送波信号に適用されたときにＴＭ変調のサイドローブを制御するように調整されうる。例えば、変調指数は、ＴＭ信号のスペクトルを制御して所定の通信チャネルの通過帯域内に収まるように調整されうる。１組のＮシンボルフレームを含む内部ＴＭ信号は、一般に、ｋ＝０からＮまでのＴＭシンボルのＮ個のフレームの和として表わされ、
【数１】
2020517186.tif 000003
である。
【００９３】
内部搬送波変調器２０８は、内部ＴＭ信号を搬送波信号の位相に挿入することによって内部ＴＭ信号を搬送波信号に適用する。内部搬送波変調器２０８は、搬送波発生器２０６から搬送波信号を受け取る。搬送波発生器２０６は、ＴＭ信号とＱＡＭ信号を送信するために使用される搬送波又はＩＦ信号を生成する。搬送波信号は、一般に、Ａｓｉｎ（ωcｔ）として表わされ、ここで、Ａは、搬送波の振幅を表わし、ωｃは、搬送波の角周波数を表す。内部搬送波変調器２０８は、内部ＴＭ信号を搬送波信号の位相に挿入し、ＴＭ変調搬送波信号（信号Ｄ）を出力する。例えば、ＴＭ変調搬送波信号は、一般にＶTM（ｔ）＝Ａsin（ωcｔ＋ΦTM（ｔ））として表わされうる。幾つかの実施態様では、内部ＴＭ信号は、搬送波信号の周波数に挿入されうる。例えば、内部搬送波変調器２０８は、内部ＴＭ信号を搬送波信号の周波数に挿入できる。そのような実施態様では、ＴＭ変調搬送波信号は、一般にＶTM（ｔ）＝Ａsin（（ωc＋ΦTM（ｔ））ｔ）と表わされうる。
【００９４】
ＴＭ信号が搬送波がＱＡＭ信号と結合されるときのような幾つかの実施態様では、搬送波は複素搬送波である。そのような実施態様では、ＴＭ変調搬送波は、一般にＶTM（ｔ）＝Ａｅ(iωct+ΦTM(t))として表されうる。実際に、複素搬送波信号は、直角位相関係を有する１対の実正弦波信号、即ち同相余弦搬送波と直角位相負余弦搬送波として生成されうる。そのような実施態様では、内部搬送波変調器２０８は、内部ＴＭ信号をＩ／Ｑ搬送波信号の一方又は両方の位相に挿入する。
【００９５】
図３Ｂのグラフ３１４は、ＴＭ変調位相信号（信号Ｄ）の例を提供する。説明のため、無変調搬送波信号３１６と内部ＴＭ信号（信号Ｃ）は、ＴＭ変調搬送波信号（信号Ｄ）の上に重畳される。更に、グラフ３１４のすぐ下のグラフ３１８は、ＴＭ変調搬送波信号（信号Ｄ）と無変調搬送波信号３１６の経時変化位相差のプロットである。グラフ３１４及び３１８に示されたように、ＴＭ変調搬送波信号（信号Ｄ）は、無変調搬送波信号３１６（時間ｔ２）と完全に同相の先行する無変調搬送波信号３１６（時間ｔ１）と、同等位相シフトだけ遅れた無変調搬送波信号３１６（時間ｔ３）で交番する。これは、図示された例では各ＱＡＭシンボル期間内で２度起こる。従って、ＴＭ変調搬送波信号（信号Ｄ）と無変調搬送波信号３１６の間の時間平均位相差は、ＱＡＭシンボル期間ごとに０である。
【００９６】
ＱＡＭシンボルマッパ２１０は、データストリーム２から入力データ２０２ｂを受け取り、入力データ２０２ｂをＱＡＭシンボルにマッピングする。ＱＡＭシンボルマッパ２１０は、一般にＱ（ｔ）＝｜Ｑn｜ｅiΨnとして表されうるベースバンドＱＡＭ信号を出力し、ここで、｜Ｑn｜は、ｎ番目のフレームＱＡＭシンボルのマグニチュードを表わし、ｅiΨnは、ｎ番目のフレームＱＡＭシンボルの位相を表す。ＱＡＭ搬送波変調器２１２は、ＴＭ変調搬送波信号（信号Ｄ）をＱＡＭシンボルで変調する。ＱＡＭ変調器２１２は、ＴＭ及びＱＡＭ信号の両方で変調された搬送波信号を含む結合信号（信号Ｅ）を出力する。結合信号は、一般にＶcomb.（ｔ）＝Ｑ（ｔ）Ａｅ(iωct+ΦTM(t))として表されうる。結合信号（Ｖcomb.）は、ＱＡＭシンボルフレーム全体にわたって一定の複素数値を有し、この複素数値は、ＱＡＭシンボルマッパ２１０によって選択されるような、ＱＡＭコンスタレーションにおけるＮ個のそのような値の１つを表す。図３Ｃのグラフ３２０は、結合されたＴＭ及びＱＡＭ変調搬送波信号（信号Ｅ）の例を提供する。グラフ３２０は、結合されたＴＭ及びＱＡＭ変調搬送波信号の実際のマグニチュードを示す。前述したように、内部ＴＭ信号による搬送波の位相シフトは、ＱＡＭ信号のシンボル期間全体で相殺され、したがって、ＱＡＭ信号の回復性に及ぼす影響は最小である。
【００９７】
フィルタ２３０は、所定の伝送チャネルの制約を満たすように結合信号をフィルタリングする送信フィルタである。例えば、フィルタ２３０は、伝送チャネルの通過帯域と一致する帯域フィルタでよい。
【００９８】
中間周波数で結合信号を生成する送信器１０４にＩＦアップコンバータ２３２が含まれる。ＩＦアップコンバータ２３２は、結合信号を中間周波数から搬送周波数にシフトアップする。
【００９９】
送信器１０４は、最初に搬送波信号をＴＭで変調し、次にＴＭ変調搬送波をＱＡＭで変調するように記述されているが、幾つかの実施態様では、変調の順序は逆でもよい。例えば、搬送波信号は、最初にＱＡＭで変調され、次にＱＡＭ変調された搬送波が内部ＴＭ信号で変調されうる。即ち、内部搬送波変調器２０８は、内部ＴＭ信号を、ＱＡＭ信号で既に変調された複合搬送波の位相に挿入できる。
【０１００】
前述したように、ＴＭシンボルフレームは、ＱＡＭシンボル期間と同じ長さでなくてもよい（図３Ｂに示されたように）。換言すると、ＴＭ及びＱＡＭシンボルレートは異なってもよい。一般に、内部ＴＭ信号を生成するために使用される正弦波信号の周波数が、ＱＡＭシンボルレートに関連付けられたとき（例えば、前記したような搬送波信号の高調波であることと対照的に）は、ＴＭシンボル期間は、一般に、正弦波信号の周期の整数倍でなければならない。ＴＭシンボル期間を正弦波信号の周期の整数倍として設定することは、ＴＭ信号とＱＡＭ信号の干渉を防ぐのに役立ち、それにより信号間の透明度が維持される。
【０１０１】
例えば、図３Ｄは、ＴＭシンボル期間がＱＡＭシンボル期間より長く、換言するとＴＭシンボルレートがＱＡＭシンボルレートより低いＴＭ信号を示すグラフ３３０乃至３３６を示す。グラフ３３０は、正弦波信号（信号Ａ）が１ＱＡＭシンボル当たり１周期を有することを例証する。内部ＴＭ信号（信号Ｃ）のＴＭシンボルフレーム１及び２は、ＱＡＭシンボルの長さの２倍、したがってシンボルレートの半分である。更に、グラフ３３４及び３３６に示されたように、ＴＭ変調搬送波信号（信号Ｄ）に導入される位相変化は、ＱＡＭシンボル期間のそれぞれにわたってゼロに平均化される。
【０１０２】
例えば、図３Ｅは、ＴＭシンボル期間がＱＡＭシンボル期間より短く、換言するとＴＭシンボルレートがＱＡＭシンボルレートより高いＴＭ信号を示すグラフ３４０乃至３４６を示す。グラフ３４０は、正弦波信号（信号Ａ）が１ＱＡＭシンボル当たり４周期を有することを示す。内部ＴＭ信号（信号Ｃ）のＴＭシンボルフレーム１及び２は、ＱＡＭシンボルの長さの半分、したがってシンボルレートの２倍である。更に、グラフ３４４及び３４６に示されたように、ＴＭ変調搬送波信号（信号Ｄ）に導入される位相変化は、ＱＡＭシンボル期間のそれぞれにわたって０に平均化される。
【０１０３】
幾つかの実施態様では、ＴＭ信号の情報伝達能力は、位相シフトに加えて内部ＴＭ信号の振幅シフトでデータを符号化することによって高められうる。ＴＭシンボルマッパ２２４は、信号発生器２２０によって生成された正弦波信号の位相シフトと振幅シフトの異なる組み合わせによって、従ってＴＭシンボルコンスタレーションを拡張することによってＴＭシンボルを表現できる。例えば、ＴＭ変調指数εをシフトして、振幅シフト成分をＴＭシンボルセットに追加できる。図３Ａの表３０２は、データを表現するために振幅シフトと位相シフトの両方を含む例示的なＴＭシンボルセットを示す。表３０２で、ε0とε1は、２つの振幅レベル（例えば、π／６とπ／１２）を表す。次に、フレーム式信号変調器２２６は、位相シフトと振幅シフトの適切な組み合わせを正弦波信号の各フレームに適用することによって正弦波信号（信号Ａ）を変調して、入力データ信号２０２ａからのデータを表現し、それにより内部ＴＭ信号（信号Ｃ）を生成する。内部ＴＭ信号の各フレームは、一般にΦTM（ｔ）＝εkｓｉｎ（ωmｔ＋θk）と表すことができ、ここで、εkは、第ｋフレームＴＭシンボルの振幅シフト変調指数を表す。
【０１０４】
例えば、図３Ｆは、ＴＭシンボルが位相と振幅のシフトの組み合わせによって表わされるＴＭ信号（例えば、ＴＭ変調指数）を示すグラフ３５０乃至３５６を示す。グラフ３５０は、正弦波信号（信号Ａ）が１ＱＡＭシンボル当たり２周期を有することを示す。グラフ３５２に示されたように、第１のＴＭシンボル（信号Ｃのフレーム１）は、２進値００１１ｂを表すために、正弦波信号（信号Ａ）の４５°の位相シフトとπ／６の変調指数値によって表わされる。第２のＴＭシンボル（信号Ｃのフレーム１）は、２進値１１０１ｂを表すために正弦波信号（信号Ａ）の−２２．５°の位相シフトとπ／１２の変調指数値によって表わされる。更に、グラフ３５４及び３５６に示されたように、ＴＭ変調搬送波信号（信号Ｄ）に導入される位相変化は、ＱＡＭシンボル期間のそれぞれにわたってゼロに平均化される。しかしながら、第２のＴＭシンボルの変調指数値が小さいので、フレーム２のＴＭ変調搬送波信号（信号Ｄ）が示す位相変化が少ない。
【０１０５】
幾つかの実施態様では、ＴＭシンボルは、正弦波信号（信号Ａ）の半周期によって表わされうる。例えば、半周期ＴＭシンボルは、正弦波信号を非ＴＭシンボルフレームと同期させて、非ＴＭシンボルフレームが、正弦波信号のほぼ等しい正及び負の４分の１周期を含むようにすることによって、各非ＴＭシンボルフレーム内でゼロに平均化されるように構成されうる。例えば、図３Ｇに示されたように、非ＴＭシンボルフレームと同期された余弦波信号は、正弦波信号（信号Ａ）として使用されうる。そのような実施態様では、データは、内部ＴＭ信号の振幅シフトで符号化されうる。ＴＭシンボルマッパ２２４は、ＴＭシンボルを、信号発生器２２０によって生成された正弦波信号の振幅シフトの異なる組み合わせによって表わされうる。例えば、ＴＭ変調指数εをシフトして、内部ＴＭ信号の振幅シフトでデータを符号化できる。次に、フレーム式信号変調器２２６は、適切な振幅シフトを正弦波信号の各フレームに適用することによって正弦波信号（信号Ａ）を変調して、入力データ信号２０２ａからのデータを表現し、それにより内部ＴＭ信号（信号Ｃ）を生成する。内部ＴＭ信号の各フレームは、一般にΦTM（ｔ）＝εkｃｏｓ（ωmｔ）として表すことができ、ここで、εkは、第ｋフレームＴＭシンボルの振幅シフト変調指数を表す。
【０１０６】
例えば、図３Ｇは、ＴＭシンボルが正弦波信号の半周期における振幅（例えば、ＴＭ変調指数）シフトによって表わされるＴＭ信号を示すグラフ３６０乃至３６６を示す。グラフ３６０は、正弦波信号（信号Ａ）が１ＱＡＭシンボル当たり１つの半周期を有することを示す。グラフ３６０は、また、４つのＴＭシンボル（ＴＭフレーム１乃至４）に分割された正弦波信号を示し、各ＴＭシンボルは、正弦波信号（信号Ａ）の１つの半周期を含む。グラフ３６２に示されたように、第１のＴＭシンボル（信号Ｃのフレーム１）は、π／６の振幅変調指数値によって表わされる。第２のＴＭシンボル（信号Ｃのフレーム２）は、π／１２の振幅変調指数値によって表わされる。第３のＴＭシンボル（信号Ｃのフレーム３）は、π／８の振幅変調指数値によって表わされる。また、第４のＴＭシンボル（信号Ｃのフレーム４）は、π／６の振幅変調指数値によって表わされる。更に、グラフ３６４及び３６６に示されたように、ＴＭ変調搬送波信号（信号Ｄ）に導入される位相変化は、ＱＡＭシンボル期間のそれぞれにわたってゼロに平均化される。ＴＭ変調搬送波信号（信号Ｄ）に対する各ＴＭシンボルの正の４分の１周期の影響は、実質的に、対応する負の４分の１周期で打ち消される。
【０１０７】
図３Ｇは、内部ＴＭ信号を定期的信号の半周期からどのように構成できるかの例として示される。しかしながら、そのような実施態様は、１ＴＭシンボルフレーム当たり１つの半周期に限定されず、１ＴＭシンボルフレーム当たり半周期の整数倍を含みうる。同様に、そのような実施態様は、また、１非ＴＭシンボルフレーム当たり１つの半周期だけ（又は、１非ＴＭシンボル当たり１つのＴＭシンボルだけ）に限定されず、１非ＴＭシンボルフレーム当たり半周期の整数倍又は１非ＴＭシンボルフレーム当たりＴＭシンボルの整数倍を含みうる。
【０１０８】
幾つかの実施態様では、ＴＭ送信器１０４は、正弦波信号（信号Ａ）の位相を非ＴＭシンボルと同期する。例えば、信号発生器２２０は、非ＴＭ信号のシンボルフレーム周期と同期されるように正弦波信号（信号Ａ）を生成できる。そのような実施態様では、非ＴＭ信号のシンボルの変化は、受信器でＴＭシンボルを検出するための同期信号として働きうる。そのような実施態様では、非ＴＭ信号のシンボルの変化は、受信器でＴＭ信号を復調するための同期信号として働きうる。幾つかの実施態様では、ＴＭ送信器１０４は、搬送波信号の高調波として正弦波信号（信号Ａ）を生成できる。
【０１０９】
幾つかの実施態様では、ＴＭ送信器１０４は、正弦波信号（信号Ａ）の位相を搬送波信号の位相と同期させる。例えば、信号発生器２２０は、搬送波発生器２０６によって生成された搬送波信号と位相が合うように正弦波信号（信号Ａ）を生成できる。そのような実施態様では、搬送波は、受信器でＴＭ信号を復調するための同期信号として働きうる。幾つかの実施態様では、ＴＭ送信器１０４は、搬送波信号の高調波として正弦波信号（信号Ａ）を生成できる。
【０１１０】
幾つかの実施態様では、ＴＭ送信器１０４は、ＴＭ信号とＱＡＭ信号の一方又は両方のデータ転送速度を調整できる。例えば、ＴＭ送信器１０４は、ＴＭシンボルマッパ２２４、ＱＡＭシンボルマッパ２１０又はこれらの両方を動的に制御してそれぞれのＴＭ又はＱＡＭコンスタレーション（例えば、ビット／シンボル）を調整して、送信チャネル状態の変化を考慮する。例えば、チャネルノイズが増えた場合、ＴＭ送信器１０４は、シンボルマッパ２２４，２１０の一方又は両方を制御してそれぞれのシンボルコンスタレーションを収縮させて、ビット／シンボルの数を減少できる。これと対照的に、チャネルノイズが減少する場合、ＴＭ送信器１０４は、シンボルマッパ２２４，２１０の一方又は両方を制御して、それぞれのシンボルコンスタレーションを拡張し、ビット／シンボルの数を増大できる。
【０１１１】
幾つかの実施態様において、送信器１０４は、ＱＡＭ信号を追加せずにＴＭ変調信号を送信できる。例えば、送信器１０４は、ＱＡＭ  Ｉ／Ｑ変調器２１２を選択的にオンオフするように構成されうる。同様に、送信器１０４は、内部搬送波変調器２０８を選択的にオンオフできるように構成されうる。例えば、ＴＭ及びＱＡＭ信号の結合データ転送速度が必要ない場合、送信器１０４は、ＴＭ信号かＱＡＭ信号だけを使用してデータを送信することを選択できる。
【０１１２】
幾つかの実施態様では、搬送波発生器２０６は、ハードウェア発振器でよい。幾つかの実施態様では、搬送波発生器２０６は、搬送波又は局部発振器信号を生成するソフトウェアモジュールでよい。幾つかの実施態様では、搬送波発生器２０６は、送信器１０４と別でよい。例えば、送信器１０４は、外部発振器又はクロックから搬送波信号を受信できる。
【０１１３】
幾つかの実施態様では、ＱＡＭ変調器２１２は、内部搬送波変調器２０８の前に配置されうる。例えば、ＱＡＭ変調器２１２は、搬送波信号をＱＡＭ信号で変調し、その後で、内部搬送波変調器２０８が、内部ＴＭ信号を搬送波信号に印加できる。そのような実施態様では、内部搬送波変調器２０８は、ＱＡＭ変調搬送波信号を受信し、前述の技術を使用して、内部ＴＭ信号をＱＡＭ変調搬送波信号に挿入できる。換言すると、内部搬送波変調器２０８は、内部ＴＭ信号を、無変調搬送波信号に挿入するか、非ＴＭ信号（例えば、従来の変調信号）で変調された搬送波信号に挿入するように構成されうる。
【０１１４】
図４は、本開示の実施態様による別の代表的なＴＭ送信器４００のブロック図を表す。ＴＭ送信器４００は、送信器１０４に動作が類似する。しかしながら、２つの独立したデータストリームを、１つのデータストリームをＴＭ信号として、別のデータストリームをＱＡＭ信号として送信する代わりに、ＴＭ送信器４００は、データストリーム４０４を分割して、データストリーム４０４の第１の部分２０２ａをＴＭ信号として、データストリーム４０４の第２の部分２０２ｂをＱＡＭ信号として送信する。ＴＭ送信器４００は、入力データストリーム４０４を２つの部分２０２ａ，２０２ｂに分割し、１つの部分２０２ａを送信器のＴＭ部分に送り、他の部分２０２ｂを送信器４００のＱＡＭ部分に送るデータフロースプリッタ４０２を含む。データフロースプリッタ４０２は、ＴＭ及びＱＡＭ信号の個々のデータ転送速度に基づいて入力データストリームを配分できる。例えば、ＴＭ信号のデータ転送速度がＱＡＭ信号のものより高い場合、データフロースプリッタ４０２は、データストリーム４０４からのデータのより大きい部分を、ＴＭ送信器４００のＴＭ信号処理構成要素に送られるデータストリーム２０２ａに配分できる。従って、ＴＭ送信器４００は、結合されたＴＭ／ＱＡＭ信号によって得られたデータスループットの増大を単一データストリーム４０４に適用することによって、単一データリンクのデータスループットを高めうる。
【０１１５】
幾つかの実施態様では、データフロースプリッタ４０２は、ＴＭ信号とＱＡＭ信号の間のデータ配分を調整するように動的に制御されうる。例えば、送信器４００が、チャネル状態により変調信号の一方又は両方のシンボルコンスタレーションを変化させる場合、ＴＭ送信器４００は、ＴＭ信号とＱＡＭ信号の間のデータ配分を調整してデータ転送速度の対応する変化を考慮できる。
【０１１６】
図５は、本開示の実施態様による代表的なＴＭ信号受信器１０６のブロック図を表す。ＴＭ受信器１０６は、一体型ＴＭ受信器である。即ち、ＴＭ受信器１０６は、非ＴＭ送信器構成要素と一体化される。ＴＭ受信器１０６は、ハードウェア（例えば、集積回路、チップセット、特定用途向け集積回路（ＡＳＩＣ）又はフィールドプログラマブルロジックアレイ（ＦＰＧＡ）として）、又はソフトウェア（例えば、ソフトウェア無線（ＳＤＲ）として）で実現されうる。ＴＭ受信器１０６は、より詳細に後述される幾つかの構成要素のモジュールを含む。
【０１１７】
考察を単純にするため、ＴＭ受信器１０６は、結合されたＴＭ及びＱＡＭ信号を受信する文脈で図示され述べられる。しかしながら、ＴＭ受信器１０６は、ＡＭ、ＦＭ、ＰＭ、ＱＰＳＫ、ＡＰＳＫ、ＤＰＳＫ又はＦＳＫを含むがこれらに限定されない他の非ＴＭ変調タイプと組み合わされたＴＭ信号を受信するように構成されうる。即ち、例えば、幾つかの実施態様では、ＱＡＭ構成要素５１０及び５１２は、ＰＳＫ復調を行うために対応する変調構成要素によって置き換えられてもよく、補われてもよい。何らかの実施態様では、例えば、ＴＭ受信器１０６は、複数組の非ＴＭ変調構成要素を含みうる。ＴＭ受信器１０６は、構成された非ＴＭ型変調のいずれかを有する受信ＴＭ信号の中から選択するように構成されうる。例えば、プロセッサを使用して、ＴＭ信号と結合されうる幾つかの非ＴＭ信号タイプの中から選択できる。
【０１１８】
全体として、ＴＭ受信器１０６は、ＴＭ信号とＱＡＭ信号の両方で変調された搬送波信号を含む結合信号（例えば、Ｖｃｏｍｂ）を受信する。ＴＭ受信器１０６は、ＱＡＭ信号を復調する。ＴＭ受信器１０６は、ＱＡＭシンボルフレーム全体にわたるＱＡＭ信号の平均値を決定し、その平均値を使用してＱＡＭ信号を復調できる。ＴＭ受信器１０６は、結合信号からＱＡＭ変調を除去する。ＴＭ受信器１０６は、ＱＡＭシンボル値を使用して結合信号からＱＡＭ変調を除去し、それによりＴＭ信号だけが残る。ＴＭ受信器１０６は、ＴＭ信号を復調する。ＴＭ受信器１０６は、搬送波信号の位相からＴＭ信号（例えば、内部ＴＭ変調信号）を抽出することによってＴＭ信号を復調できる。ＴＭ受信器１０６は、ＴＭ信号の個別の位相シフトを検出してＴＭ信号を復調することによってＴＭシンボルを識別する。例えば、ＴＭ受信器１０６は、ＴＭ信号を基準正弦波と比較してＴＭ信号の位相シフトを検出できる。
【０１１９】
より詳細には、ＴＭ受信器１０６は、幾つかのモジュールを含み、各モジュールは、ハードウェア又はソフトウェアで実現されうる。例えば、各モジュールは、集積回路、チップセット、ＡＳＩＣ、ＦＰＧＡ、ソフトウェアモジュール（例えば、１つ以上のコードブロック）、又はこれらの組み合わせとして、ハードウェアで実現されうる。ＴＭ受信器１０６は、アナログデジタル変換器（ＡＤＣ）５０２、フィルタ５０４、フレーム平均化信号推定器（ＦＡＳＥ）５０６、フレームシンクロナイザ５０８、ＱＡＭ復調器５１０、信号遅延バッファ５１２、ＴＭ信号分離機５１４、ＴＭ復調器５１６、及び必要に応じてＩＦダウンコンバータ５３０を含む。
【０１２０】
ＴＭ受信器１０６は、結合信号（Ｖcomb.（ｔ）＝Ｑ（ｔ）Ａｅ(iωct+ΦTM(t))）を受信する。幾つかの実施態様では、ＴＭ受信器１０６は、例えばＩＦダウンコンバータ５３０を使用して、結合信号を中間周波数（ＩＦ）にシフトする。幾つかの実施態様では、ＴＭ受信器１０６は、結合信号をベースバンドにシフトダウンする。ＴＭ受信器１０６は、結合信号を搬送周波数の無変調正弦波で逓倍し、結合信号をフィルタリングすることによって、結合信号をベースバンドにシフトダウンして、高次高調波を除去できる。
【０１２１】
結合信号は、ＡＤＣ５０２によってアナログ信号からデジタル信号に変換され、フィルタ５０４によってフィルタリングされる。フィルタ５０４は、結合信号をフィルタリングして、例えばノイズや他の外生信号を除去する受信フィルタである。例えば、フィルタ５０４は、伝送チャネルの通過帯域と一致する帯域フィルタでよい。
【０１２２】
ＴＭ受信器１０６は、結合信号を信号遅延バッファ５１２とＦＡＳＥ５０６に供給する。ＦＡＳＥ５０６は、フィルタリングされた結合信号を受け取る。更に、第ｎＱＡＭシンボルフレームに関して、結合信号は、Ｖcomb._n＝｜Ｑn｜Ａｅ(iΨn+ΦTM(t))として記述されうる。幾つかの実施態様では、ＴＭ受信器１０４は、既知の較正信号を使用することによってチャネル利得を決定できる。ＴＭ受信器１０４は、結合信号を増幅でき、振幅Ａは、Ｖcomb._n（ｔ）＝｜Ｑn｜ｅ(iΨn+ΦTM(t))のまま１に設定されうる。ＦＡＳＥ５０６は、フレームシンクロナイザ５０８から各ＱＡＭフレームの始まりと終わりを示すデータを受け取りうる。例えば、フレームシンクロナイザ５０８は、ＱＡＭフレームの縁を検出し、適切なタイミング信号をＦＡＳＥ５０６に提供できる。
【０１２３】
ＦＡＳＥ５０６は、各ＱＡＭシンボルフレーム全体の結合信号の平均値を決定して、結合信号の各ＱＡＭフレームのＱＡＭシンボル値を回復する。結合信号内のＱＡＭシンボルは、各シンボル期間全体にわたって一定の複素数値を有する。更に、前述されたように、ＴＭ変調平均によって引き起こされる位相変化が、各シンボルＱＡＭ全体に平均化される。ＦＡＳＥ５０６は、ＱＡＭシンボルフレーム全体の結合信号の時間平均値を決定することによってＱＡＭシンボル値を回復できる。例えば、ＦＡＳＥ５０６は、結合信号の絶対値の平均を決定することによってＱＡＭシンボル振幅を決定でき、数学的｜Ｑn｜＝＜｜Ｖcomb._n｜＞であり、ここで、山括弧は、第ｎＱＡＭフレーム全体の時間平均を示す。幾つかの実施態様では、ＦＡＳＥ５０６は、結合信号の加重時間平均を実行できる。例えば、各シンボルの時間平均は、ＴＭ信号とＱＡＭ信号のそれぞれの変調強度に基づいて重み付けされうる。
【０１２４】
ＦＡＳＥ５０６は、結合信号の実部と虚部のアークタンジェントをとることによってＱＡＭシンボル位相を決定でき、数学的にはΨn＝＜ａｒｃｔａｎ（Ｉｍａｇ｛Ｖcomb._n｝），Ｒｅ｛Ｖ(comb._n)｝）＞であり、山括弧＜  ＞は、第ｎＱＡＭフレーム全体の時間平均を示し、ａｒｃｔａｎ（）は、四象限アークタンジェント関数を表す。例えば、図６は、幾つかのＱＡＭシンボルフレーム全体にわたる結合信号の位相を表すグラフ６００を示す。結合信号の瞬時位相は、破線６０２として示される。時間平均ＱＡＭ位相は、実線６０４として示される。前述されたように、内部ＴＭ変調は、結合信号の位相を振動させるが、振動は、各ＱＡＭシンボルフレーム全体にわたってゼロに平均化し、したがって、ＴＭ信号がＱＡＭ信号に対して透明になる。
【０１２５】
ＦＡＳＥ５０６は、回復されたＱＡＭシンボル値をＱＡＭ復調器とＴＭ信号分離器５１４に出力する。ＱＡＭ復調器５１０は、ＱＡＭシンボル値を対応するデジタルデータに変換する。ＱＡＭ復調器５１０は、結合信号のＱＡＭ部分から受け取ったデジタルデータストリーム５２０ｂを出力する。データストリーム５２０ｂは、ＴＭ送信器１０４への入力、即ち前述したデータストリーム２０２ｂに対応する。幾つかの実施態様では、ＴＭ受信器１０６は、複雑な結合信号を同相及び直角位相信号に分割できる。ＦＡＳＥ５０６は、同相及び直角位相信号のそれぞれに類似の操作を実行して平均ＱＡＭ信号のマグニチュードと位相を得る。
【０１２６】
幾つかの実施態様では、ＦＡＳＥ５０６は、包絡線検出器を使用してＱＡＭシンボルの振幅を抽出できる。ＦＡＳＥ５０６は、抽出振幅を使用して各ＱＡＭ信号のマグニチュードを決定できる。
【０１２７】
ＴＭ信号分離器５１４は、ＱＡＭ信号を結合信号から分離してＴＭ変調搬送波信号を得る。ＴＭ信号分離器５１４は、信号遅延バッファ５１２から結合信号を受け取り、ＦＡＳＥ５０６から回復ＱＡＭシンボル値を受け取る。信号遅延バッファ５１２は、結合信号を適切な量だけ時間遅延させ、その結果、ＦＡＳＥ５０６によって回復されたＱＡＭシンボル値が、結合信号の対応するＱＡＭシンボルフレームと対応され、例えば、第ｎＱＡＭシンボルが、結合信号の第ｎＱＡＭフレームと対応される。ＴＭ信号分離器５１４は、回復ＱＡＭシンボル値を使用して結合信号からＱＡＭ変調を除去する。例えば、ＴＭ信号分離器５１４は、ＱＡＭシンボル値を結合信号のそれぞれのフレームから分離でき、ＴＭ変調搬送波が得られる。例えば、第ｎＱＡＭシンボルフレームのＴＭ信号分離器５１４の動作は、
【数２】
2020517186.tif 000004
によって表されうる。
【０１２８】
ＴＭ復調器５１６は、ＴＭ信号分離器５１４からＴＭ変調搬送波信号を受け取り、ＴＭ信号を復調してデータストリーム５２０ａのデジタルデータを得る。データストリーム５２０ａは、ＴＭ送信器１０４への入力、前述されたデータストリーム２０２ｂに対応する。ＴＭ復調器５１６は、ＴＭ変調搬送波信号からＴＭ信号を抽出する。ＴＭ復調器５１６は、ＴＭ信号の個々の位相シフトを検出してＴＭシンボル値を決定する。ＴＭ復調器５１６は、ＴＭシンボル値を、データストリーム５２０ａ内の対応するデジタルデータに変換する。
【０１２９】
例えば、図７は、代表的なＴＭ信号復調器５１６のブロック図を表す。ＴＭ復調器５１６は、位相抽出器７０２、位相シフト検出器７０４及びシンボルデマッパ７０６を含みうる。位相抽出器７０２は、ＴＭ変調搬送波信号の位相からＴＭ信号を抽出する。例えば、位相抽出器７０２は、ＴＭ信号分離器５１６から受け取った複素数データを位相データに変換できる。
【０１３０】
位相シフト検出器７０４は、ＴＭシンボルを表すＴＭ信号の個々の位相シフトを検出する。例えば、位相シフト検出器７０４は、ＴＭ信号を基準正弦波と相関させることによってＴＭ信号の個々の位相シフトを検出できる。例えば、内部ＴＭ信号を生成するために送信器１０４によって使用される正弦波信号（例えば、信号Ａ）がＱＡＭシンボルと同期される場合（前述されたように）、ＴＭ復調器５１６は、ＱＡＭシンボルを基準正弦波と同期させて正弦波信号（信号Ａ）を近似できる。位相シフト検出器７０４は、検出された位相シフト値を、シンボルデマッパ７０６に提供し、シンボルデマッパ７０６は、位相シフト値（例えば、ＴＭシンボル値）を対応するデジタルデータ値に変換する。位相シフト検出器７０４は、結合信号のＴＭ部分から受け取ったデジタルデータストリーム５２０ａを出力する。
【０１３１】
幾つかの実施態様では、送信器１０４は、所定のＴＭ同期信号を送信できる。例えば、所定の同期信号は、所定の組のＴＭシンボルを含みうる。ＴＭ復調器５１６は、同期信号を使用して、基準信号を送信器によって使用される正弦波信号と同期できる。例えば、ＴＭ復調器は、基準信号の位相を調整して同期信号から適正なＴＭデータシンボルを生成できる。
【０１３２】
幾つかの実施態様では、位相シフト検出器７０４は、ＴＭ信号を基準の正弦波及び余弦波（例えば、２つの正弦波基準信号を９０度の位相差で）と相関させることによってＴＭ信号の個別の位相シフトを検出できる。位相シフトは、正弦基準波及び余弦基準波との相互相関間の割り当てのアークタンジェントを求めることによって決定されうる。
【０１３３】
幾つかの実施態様では、ＴＭ復調器７０４は、ＴＭデータシンボルを表す内部ＴＭ信号の変調指数の変化を検出する振幅シフト検出器を含む。例えば、振幅シフト検出は、ＱＡＭシンボルの振幅レベルの検出と類似の方式でＴＭ信号の振幅レベルを検出できる。ＴＭシンボルの結合された振幅及び位相シフト値は、シンボルデマッパ７０６によってデジタルデータに変換されうる。
【０１３４】
図８は、本開示の実施態様による別の代表的ＴＭ受信器８００のブロック図を表す。ＴＭ受信器８００は、送信器１０６に動作が類似する。しかしながら、２つの独立したデータストリーム（例えば、データストリーム５２０ａ及び５２０ｂ）を、ひとつをＴＭ信号としてもう１つをＱＡＭ信号として受け取る代わりに、ＴＭ受信器８００は、ＴＭ信号によって第１の部分５２０ａとして送信され、ＱＡＭ信号によって第２の部分５２０ｂとして送信される１つのデータストリーム８０４を受け取る。ＴＭ受信器８００は、それぞれの回復されたデータストリーム５２０ａ及び５２０ｂを、例えば、図４の入力データストリーム４０４に対応する出力データ流８０４に組み合わせるデータフロー結合器８０２を含む。データフロー結合器８０２は、ＴＭ及びＱＡＭ信号の個々のデータ転送速度に基づいて、回復されたデータストリーム５２０ａ，５２０ｂを再結合できる。
【０１３５】
幾つかの実施態様では、データフロー結合器８０２は、ＴＭ及びＱＡＭ信号のデータ転送速度の変化を考慮するように動的に制御されうる。例えば、送信器４００が、チャネル状態により変調信号の一方又は両方のシンボルコンスタレーションを変化させる場合、ＴＭ受信器８００は、データストリーム５２０ａ及び５２０ｂを適切に再結合するために、ＴＭ信号とＱＡＭ信号間のデータの配分の変化を考慮するようにデータフロー結合器８０２を調整できる。例えば、ＴＭ送信器４００は、受信器８００がデータフロー結合器８０２を適切に制御できるようにＴＭ及びＱＡＭ信号間の配分が変更されるとき、受信器８００に同期データを送信できる。
【０１３６】
図９は、搬送波信号を変調する例示的プロセス９００を表す。プロセス９００は、図２の送信器１０４や図４の送信器４００などの送信器によって実行されうる。幾つかの例では、例示的プロセス９００は、１つ以上の処理装置（例えば、デジタル信号プロセッサ）又は通信装置（例えば、図１の通信装置１０２）を使用して実行されるコンピュータ実行命令として提供されうる。幾つかの例では、プロセス９００は、例えばＡＳＩＣ又はＦＰＧＡ装置のようなハードワイヤード電気回路でよい。幾つかの例では、プロセス９００は、ＳＤＲによって実行されうる。
【０１３７】
送信器は、ＴＭ信号を生成する（９０２）。例えば、送信器は、正弦波信号を生成し（９０２ａ）、正弦波信号の位相を変調する（９０２ｂ）ことによってＴＭ信号を生成できる。送信器は、非ＴＭ信号のシンボルレート、搬送波信号の周波数又はこれらの組み合わせに関連した周波数を有するように正弦波信号を生成できる。例えば、送信器は、ＴＭ信号が結合される非ＴＭ信号のシンボルレートの整数倍の周波数を有するように正弦波信号を生成できる。送信器は、搬送波信号の高調波の周波数を有するように正弦波信号を生成できる。幾つかの実施態様では、送信器は、搬送波信号の位相と同期される正弦波信号を生成できる。
【０１３８】
送信器は、入力データ信号に基づいて正弦波信号の位相を変調できる。例えば、送信器は、入力データ信号のデジタルデータを表す正弦波信号に個別の位相シフトを適用できる。送信器は、データ信号内の各データ値の個別の位相シフトによって正弦波信号の位相をシフトできる。換言すると、個別の位相シフトは、デジタルデータの組み合わせに対応するＴＭシンボルを表わしうる。例えば、Ｎ進ＴＭ信号は、Ｎビットのデータを２Ｎ個のＴＭシンボルのコンスタレーション（例えば、２Ｎ個の異なる個別の位相シフト値）で表わしうる。
【０１３９】
送信器は、搬送波信号にＴＭ信号を適用してＴＭ変調搬送波信号を提供する（９０４）。例えば、送信器は、ＴＭ信号を搬送波信号の位相に挿入してＴＭ変調搬送波信号を提供する。例えば、送信器は、ＴＭ信号を搬送波信号の位相に追加できる。幾つかの実施態様では、送信器は、ＴＭ信号を搬送波信号の周波数に挿入してＴＭ変調搬送波信号を提供できる。幾つかの実施態様では、搬送波信号は、複素搬送波でよい。
【０１４０】
送信器は、ＴＭ変調搬送波信号を非ＴＭ信号で変調して結合信号を提供し（９０６）、結合信号を送信する（９０８）。非ＴＭ信号は、ＱＡＭ信号、ＡＭ信号、ＦＭ信号、又はＰＭ信号を含みうるがこれらに限定されない。例えば、送信器は、第２の入力データ信号に基づいてＴＭ変調搬送波をＱＡＭ信号で変調する。第２の入力データ信号は、ＴＭ信号を生成するために使用される第１の入力データ信号と無関係でよい。幾つかの実施態様では、送信器は、入力データ信号の一部がＴＭ信号として送信され、入力データ信号の別の部分が非ＴＭ信号（例えば、ＱＡＭ信号）として送信されるように入力データ信号を分割できる。
【０１４１】
幾つかの例では、ＴＭシンボル期間は、正弦波信号の周期の整数倍に対応するように時間が合わせられる。換言すると、ＴＭシンボル期間は、正弦波信号の周期の整数倍を含むように時間が合わせられうる。
【０１４２】
幾つかの例では、ＴＭシンボル期間は、非ＴＭ信号のシンボル期間と関連付けられる。例えば、ＴＭシンボル期間は、非ＴＭ信号のシンボル期間の整数倍でよい。非ＴＭ信号のシンボル期間は、ＴＭシンボル期間のシンボル期間の整数倍でよい。
【０１４３】
幾つかの実施態様では、送信器は、送信前に結合信号をフィルタリングする。例えば、送信器は、帯域フィルタで結合信号をフィルタリングして、特定の送信チャネル又は送信媒体の制約を満たすように非ＴＭ信号のシンボルを成形できる。
【０１４４】
幾つかの例では、ＴＭ変調搬送波信号は、後で非ＴＭ信号で変調されなくてもよい。換言すると、ＴＭ信号は、非ＴＭ信号と結合されずに単に生成され送信されうる。
【０１４５】
幾つかの実施態様では、搬送波信号は、ＴＭ信号を搬送波に適用する前に非ＴＭ信号で変調される。例えば、送信器は、搬送波信号が非ＴＭ信号で変調された後、搬送波の位相にＴＭ信号を挿入できる。
【０１４６】
幾つかの例では、ＴＭ変調搬送波信号は、後で非ＴＭ信号で変調されなくてもよい。換言すると、ＴＭ信号は、非ＴＭ信号と結合されずに単に生成され送信されうる。
【０１４７】
図１０は、搬送波信号を変調する例示的プロセス１０００を表す。プロセス１０００は、図５の受信器１０６や図８の受信器８００などの受信器によって実行されうる。幾つかの例では、例示的プロセス１０００は、１つ以上の処理装置（例えば、デジタル信号プロセッサ）又は通信装置（例えば、図１の通信装置１０２）を使用して実行されたコンピュータ実行命令として提供されうる。幾つかの例では、プロセス１０００は、例えばＡＳＩＣ又はＦＰＧＡ装置のようなハードワイヤード電気回路でよい。幾つかの例では、プロセス１０００は、ＳＤＲによって実行されうる。
【０１４８】
受信器は、転置変調（ＴＭ）信号及び非ＴＭ信号を有する搬送波信号を含む結合信号を受信する（１００２）。受信器は、非ＴＭ信号のそれぞれのシンボルフレーム全体にわたる結合信号の平均値を決定する（１００４）。例えば、受信器は、非ＴＭ信号の各シンボルフレームの結合信号の時間平均値を決定できる。時間平均値は、非ＴＭ信号のシンボルフレーム全体にわたる結合信号の時間平均振幅及び時間平均位相を含みうる。例えば、非ＴＭ信号に対するＴＭ信号のいかなる影響も、非ＴＭ信号の各シンボルフレーム全体にわたって平均化されうる。
【０１４９】
受信器は、平均値に基づいて非ＴＭ信号を復調する（１００６）。受信器は、非ＴＭ信号を復調して非ＴＭ信号のシンボルを回復させる。次に、受信器は、非ＴＭ信号の回復されたシンボルを対応するデジタルデータ値に変換し、非ＴＭ信号で送信されるデータストリームを回復できる。
【０１５０】
受信器は、結合信号から非ＴＭ信号を除去する（１００８）。例えば、受信器は、結合信号の複製をバッファし、非ＴＭ信号の回復されたシンボル値を使用して、バッファされた結合信号の複製のそれぞれのフレームから非ＴＭ信号を除去できる。例えば、受信器は、バッファされた結合信号の複製のそれぞれのフレームを、回復された非ＴＭシンボルの対応するもののマグニチュードと位相によって分割できる。
【０１５１】
受信器は、ＴＭ信号を復調する（１０１０）。例えば、受信器は、搬送波の位相に挿入された正弦波信号の個別の位相シフトを検出することによって、ＴＭ信号を復調できる。受信器は、ＴＭ変調搬送波信号の位相を抽出してＴＭ信号を得ることができる。例えば、受信器は、非ＴＭ信号が除去された後で、結合信号の複素数値を経時変化位相データに変換できる。位相データは、ＴＭ信号を個別の位相シフトを有する正弦波として表す。各個別の位相シフトの値は、対応するデジタルデータ値に変換されうるＴＭシンボルを表す。受信器は、位相データを基準信号と相関させることによって個別の位相シフトを検出できる。例えば、基準信号を非ＴＭ信号のシンボルフレームと同期させて送信器によって使用される正弦波信号を近似させて、内部ＴＭ信号を生成できる。次に、受信器は、回復されたＴＭシンボルを対応するデジタルデータ値に変換して、ＴＭ信号で送信された第２のデータストリームを回復できる。
【０１５２】
本明細書に記載された内容及び操作の実施態様は、本明細書に開示された構造及びその構造的等価物を含む、アナログ若しくはデジタル電子回路、又はコンピュータソフトウェア、ファームウェア若しくはハードウェア、又はそれらの１つ以上の組み合わせで実現されうる。本明細書に記載された内容の実施態様は、データ処理装置による実行のため、又はその動作を制御するために、コンピュータ記憶媒体上に符号化された１つ以上のコンピュータプログラム、即ち、コンピュータプログラム命令の１つ以上のモジュールを使用して実現されうる。あるいは又は更に、プログラム命令は、人工的に生成された伝搬信号上、例えば、データ処理装置による実行のために適切な受信器装置に送信する情報を符号化するように生成された機械生成された電気、光学、電磁気信号上で符号化されうる。コンピュータ記憶媒体は、コンピュータ可読記憶装置、コンピュータ可読記憶基板、ランダム又はシリアルアクセスメモリアレイ又は装置、あるいはこれらの１つ以上の組み合わせでもよく、これらに含まれてもよい。更に、コンピュータ記憶媒体が、伝搬信号ではないが、コンピュータ記憶媒体は、人工的に生成された伝搬信号で符号化されたコンピュータプログラム命令の供給源又は移動先でよい。コンピュータ記憶媒体は、また、１つ以上の別個の物理構成要素又は媒体（例えば、複数のＣＤ、ディスク又は他の記憶装置）でもよくこれらに含まれてもよい。
【０１５３】
本明細書に記述された操作は、１つ以上のコンピュータ可読記憶装置に記憶されるか他の供給源から受け取ったデータに対してデータ処理装置によって実行される操作として実施されうる。
【０１５４】
用語「データ処理装置」は、例えば前述の、プログラマブルプロセッサ、コンピュータ、システムオンチップ、これらの複数のもの、又はこれらの組み合わせを含む、データを処理するための全ての種類の機器、装置及び機械を包含する。装置は、専用論理回路、例えばＦＰＧＡ（フィールドプログラマブルゲートアレイ）又はＡＳＩＣ（特定用途向け集積回路）を含みうる。装置は、また、ハードウェアに加えて、対象とするコンピュータプログラムの実行環境を作成するコード、例えば、プロセッサファームウェア、プロトコールスタック、データベース管理システム、オペレーティングシステム、クロスプラットフォームランタイム環境、仮想マシン、又はこれらの１つ以上の組み合わせを構成するコードを含みうる。装置及び実行環境は、ウェブサービス、分散コンピューティング、グリッドコンピューティングインフラストラクチャなど、様々な異なるコンピューティングモデルインフラストラクチャを実現できる。
【０１５５】
コンピュータプログラム（プログラム、ソフトウェア、ソフトウェアアプリケーション、スクリプト又はコードとしても知られる）は、コンパイル又はインタープリタ型言語、宣言型又は手続型言語を含む任意の形のプログラミング言語で記述されてもよく、スタンドアロンプログラム、又はコンピューティング環境で使用するに適したモジュール、コンポーネント、サブルーチン、オブジェクト若しくは他のユニットを含む任意の形で展開されうる。コンピュータプログラムは、ファイルシステムにおけるファイルに対応するが、これは必須ではない。プログラムは、他のプログラム若しくはデータを保持するファイルの一部（例えば、マークアップ言語ドキュメントに記憶された１つ以上のスクリプト）、対象とするプログラムに専用の単一ファイル、又は複数の連係ファイル（例えば、１つ以上のモジュール、サブプログラム又はコードの一部を記憶するファイル）で記憶されうる。コンピュータプログラムは、１つのコンピュータ上で、又は１つのサイトに配置されるか複数のサイトに分散され通信ネットワークによって相互接続された複数のコンピュータ上で実行されるように展開されうる。
【０１５６】
本明細書に記述されたプロセス及びロジックフローは、入力データを処理し出力を生成することによってアクションを実行するために１つ以上のコンピュータプログラムを実行する１つ以上のプログラマブルプロセッサによって実行されうる。プロセス及びロジックフローは、専用論理回路、例えばＦＰＧＡ（フィールドプログラマブルゲートアレイ）又は、ＡＳＩＣ（特定用途向け集積回路）によって実行されてもよく、装置が、専用論理回路として実現されてもよい。
【０１５７】
コンピュータプログラムの実行に適したプロセッサには、例えば、汎用及び専用両方のマイクロプロセッサ、任意の種類のデジタルコンピュータの任意の１つ以上のプロセッサが含まれる。一般に、プロセッサは、読み取り専用メモリ若しくはランダムアクセスメモリ又は両方から命令とデータを受け取る。コンピュータの要素は、命令に従ってアクションを実行するプロセッサと、命令とデータを記憶するための１つ以上のメモリ装置とを含みうる。更に、コンピュータは、別の装置、例えば、ほんの幾つかを挙げると、携帯電話、携帯情報端末（ＰＤＡ）、携帯オーディオ若しくはビデオプレーヤ、ゲーム機、全地球測位システム（ＧＰＳ）受信器、又は携帯記憶装置（例えば、汎用シリアルバス（ＵＳＢ）フラッシュドライブ）に埋め込まれうる。コンピュータプログラム命令及びデータを記憶するのに適した装置には、例えば、半導体メモリ装置（例えば、ＥＰＲＯＭ、ＥＥＰＲＯＭ、フラッシュメモリ装置）、磁気ディスク（例えば、内部ハードディスク、リムーバブルディスク）、光磁気ディスク、及びＣＤ−ＲＯＭとＤＶＤ−ＲＯＭディスクを含む、全ての形態の不揮発性メモリ、媒体及びメモリ装置が含まれる。プロセッサ及びメモリは、専用論理回路によって補足されてもよく、専用論理回路に組み込まれてもよい。
【０１５８】
本明細書は、多数の特定の実施詳細を含むが、これらの実施詳細は、本開示の実施態様又は請求されうるものの範囲の限定として解釈されるべきでなく、むしろ例示的実施態様に固有の特徴の記述として解釈されるべきである。本明細書に個々の実施態様の文脈で記述された特定の特徴は、単一の実施態様における組み合わせで実現されうる。これと反対に、単一の実施形態の文脈で記述された様々な特徴は、複数の実施形態で別々に実現されてもよく任意の適切な副組み合わせで実現されてもよい。更に、特徴は、特定の組み合わせで有効になるように前述され、更に最初にそのように請求されうるが、場合によっては、請求された組み合わせからの１つ又は複数の特徴が、組み合わせから削除されてもよく、請求された組み合わせが、副組み合わせ又は副組み合わせの変形を対象としてもよい。
【０１５９】
同様に、操作は特定の順序で図面に表されているが、これは、所望の結果を達成するために、そのような操作が、示された特定の順序又は連続順序で実行されること、又は全ての例示された操作が実行されることを必要とすると理解されるべきでない。特定の環境では、マルチタスキング及び並列処理が有利なことがある。更に、前述された実施態様における様々なシステム構成要素の分離は、全ての実施態様でそのような分離が必要とされると理解されるべきでなく、示されたプログラム構成要素及びシステムが、一般に、単一のソフトウェア製品に統合されるか複数のソフトウェア製品に組み込まれうることを理解されたい。
【０１６０】
したがって、内容の特定の実施態様について記述された。他の実施態様は、以下の特許請求の範囲内である。幾つかの例では、特許請求の範囲に引用された操作は、異なる順序で実行されてもよく、更に所望の結果を達成できる。更に、添付図面に表されたプロセスは、所望の結果を達成するために、示された特定の順序又は連続した順序を必ずしも必要としない。特定の実施形態では、マルチタスキング及び並列処理が有利なことがある。
【０１６１】
添付の特許請求の範囲の実施形態及び前述の実施形態に加えて、以下の番号付き実施形態も革新的である。
【０１６２】
実施形態１は、搬送波信号を変調する方法であり、方法は、正弦波信号を生成し、正弦波信号をデータ信号に基づいて変調することによって転置変調（ＴＭ）信号を生成してＴＭ信号を提供することと、ＴＭ信号を搬送波信号に挿入してＴＭ変調搬送波信号を提供することと、ＴＭ変調搬送波信号を非ＴＭ信号で変調して結合信号を提供することと、結合信号を送信することとを含む。
【０１６３】
実施形態２は、実施形態１の方法であり、ＴＭ信号を搬送波信号に挿入することが、ＴＭ信号を搬送波信号の位相に挿入してＴＭ変調搬送波信号を提供することを含む。
【０１６４】
実施形態３は、実施形態２の方法であり、ＴＭ信号は、ＴＭ信号を搬送波信号の位相に追加することによって搬送波信号の位相に挿入される。
【０１６５】
実施形態４は、実施形態１の方法であり、ＴＭ信号を搬送波信号に挿入することは、ＴＭ信号を搬送波信号の周波数に挿入してＴＭ変調搬送波信号を提供することを含む。
【０１６６】
実施形態５は、実施形態４の方法であり、ＴＭ信号は、ＴＭ信号を搬送波信号の周波数に追加することによって搬送波信号の周波数に挿入される。
【０１６７】
実施形態６は、実施形態１乃至５のいずれか１つの方法であり、正弦波信号は、非ＴＭ信号のデータシンボルのシンボルレートの整数倍の周波数を有する。
【０１６８】
実施形態７は、実施形態１乃至６のいずれか１つの方法であり、データ信号に基づいて正弦波信号を変調してＴＭ信号を提供することは、データ信号に基づいて正弦波信号の位相を変調してＴＭ信号を提供することを含む。
【０１６９】
実施形態８は、実施形態７の方法であり、データ信号に基づいて正弦波信号の位相を変調してＴＭ信号を提供することは、正弦波信号の位相をデータ信号内の各データ値の個別の位相シフトだけ変化させることを含む。
【０１７０】
実施形態９は、実施形態８の方法であり、個別の位相シフトの値の変化は、正弦波信号の周期の整数倍に対応するように時間が合わされる。
【０１７１】
実施形態１０は、実施形態８乃至９のいずれか１つの方法であり、各個別の位相シフトは、データ信号のデータ値を表すＴＭシンボルである。
【０１７２】
実施形態１１は、実施形態１乃至１０のいずれか１つの方法であり、データ信号に基づいて正弦波信号を変調することが、データ信号に基づいて正弦波信号の位相と振幅の両方を変調してＴＭ信号を提供することを含む。
【０１７３】
実施形態１２は、実施形態１乃至１１のいずれか１つの方法であり、ＴＭ信号のシンボル期間は、正弦波信号の周期の整数倍である。
【０１７４】
実施形態１３は、実施形態１乃至１２のいずれか１つの方法であり、非ＴＭ変調信号は、ＱＡＭ信号である。
【０１７５】
実施形態１４は、実施形態１乃至１３のいずれか１つの方法であり、非ＴＭ信号は、振幅変調信号、周波数変調信号又は位相変調信号である。
【０１７６】
実施形態１５は、実施形態１乃至１４のいずれか１つの方法であり、データ信号は、第１のデータ信号であり、非ＴＭ信号は、第２のデータ信号に基づいて変調される。
【０１７７】
実施形態１６は、実施形態１５の方法であり、第２のデータ信号は、第１のデータ信号とは異なる。
【０１７８】
実施形態１７は、実施形態１５の方法であり、第１のデータ信号は、第３のデータ信号の第１の部分を含み、第２のデータ信号は、第３のデータ信号の第２の部分を含む。
【０１７９】
実施形態１８は、実施形態１乃至１７のいずれか１つの方法であり、更に、結合信号を送信する前に、結合信号をフィルタリングすることを含む。
【０１８０】
実施形態１９は、実施形態１乃至１８のいずれか１つの方法であり、搬送波信号は、中間周波数搬送波信号であり、方法は、更に、結合信号を送信搬送波信号の周波数にシフトアップすることを含む。
【０１８１】
実施形態２０は、実施形態１の方法であり、データ信号に基づいて正弦波信号を変調してＴＭ信号を提供することは、データ信号に基づいて正弦波信号の振幅を変調してＴＭ信号を提供することを含む。
【０１８２】
実施形態２１は、実施形態２０の方法であり、ＴＭ信号のシンボル期間は、非ＴＭ信号のデータシンボルのシンボル期間の整数倍である。
【０１８３】
実施形態２２は、搬送波信号を変調する方法であり、方法は、搬送波信号を非転置変調（非ＴＭ）信号で変調して非ＴＭ変調搬送波信号を提供することと、正弦波信号を生成することによって転置変調（ＴＭ）信号を生成し、データ信号に基づいて正弦波信号を変調してＴＭ信号を提供することと、ＴＭ信号を非ＴＭ変調搬送波信号に挿入して結合信号を提供することと、結合信号を送信することとを含む。
【０１８４】
実施形態２３は、実施形態２２の方法であり、ＴＭ信号を非ＴＭ変調搬送波信号に挿入することは、ＴＭ信号を非ＴＭ変調搬送波信号の位相に挿入して結合信号を提供することを含む。
【０１８５】
実施形態２４は、実施形態２３の方法であり、ＴＭ信号は、ＴＭ信号を非ＴＭ変調搬送波信号の位相に追加することによって非ＴＭ変調搬送波信号の位相に挿入される。
【０１８６】
実施形態２５は、実施形態２２の方法であり、ＴＭ信号を非ＴＭ変調搬送波信号に挿入することは、ＴＭ信号を非ＴＭ変調搬送波信号の周波数に挿入して結合信号を提供することを含む。
【０１８７】
実施形態２６は、実施形態２５の方法であり、ＴＭ信号は、ＴＭ信号を非ＴＭ変調搬送波信号の周波数に追加することによって非ＴＭ変調搬送波信号の周波数に挿入される。
【０１８８】
実施形態２７は、実施形態２２乃至２６のいずれか１つの方法であり、正弦波信号は、非ＴＭ信号のデータシンボルのシンボルレートの整数倍の周波数を有する。
【０１８９】
実施形態２８は、実施形態２２乃至２７のいずれか１つの方法であり、データ信号に基づいて正弦波信号を変調してＴＭ信号を提供することは、データ信号に基づいて正弦波信号の位相を変調してＴＭ信号を提供することを含む。
【０１９０】
実施形態２９は、実施形態２８の方法であり、データ信号に基づいて正弦波信号の位相を変調してＴＭ信号を提供することは、正弦波信号の位相をデータ信号内の各データ値の個別の位相シフトだけ変化させることを含む。
【０１９１】
実施形態３０は、実施形態２９の方法であり、個別の位相シフトの値の変化は、正弦波信号の周期の整数倍に対応するように時間が合わされる。
【０１９２】
実施形態３１は、実施形態２９乃至３０のいずれか１つの方法であり、各個別の位相シフトは、データ信号のデータ値を表すＴＭシンボルである。
【０１９３】
実施形態３２は、実施形態２２乃至３１のいずれか１つの方法であり、データ信号に基づいて正弦波信号を変調することは、データ信号に基づいて正弦波信号の位相と振幅の両方を変調してＴＭ信号を提供することを含む。
【０１９４】
実施形態３３は、実施形態２２乃至３２のいずれか１つの方法であり、ＴＭ信号のシンボル期間は、正弦波信号の周期の整数倍である。
【０１９５】
実施形態３４は、実施形態２２乃至３３のいずれか１つの方法であり、非ＴＭ変調信号は、ＱＡＭ信号である。
【０１９６】
実施形態３５は、実施形態２２乃至３４のいずれか１つの方法であり、非ＴＭ信号は、振幅変調信号、周波数変調信号又は位相変調信号である。
【０１９７】
実施形態３６は、実施形態２２乃至３５のいずれか１つの方法であり、データ信号は、第１のデータ信号であり、非ＴＭ信号は、第２のデータ信号に基づいて変調される。
【０１９８】
実施形態３７は、実施形態３６の方法であり、第２のデータ信号は、第１のデータ信号とは異なる。
【０１９９】
実施形態３８は、実施形態３６の方法であり、第１のデータ信号は、第３のデータ信号の第１の部分を含み、第２のデータ信号は、第３のデータ信号の第２の部分を含む。
【０２００】
実施形態３９は、実施形態２２乃至３８のいずれか１つの方法であり、更に、結合信号を送信する前に結合信号をフィルタリングすることを含む。
【０２０１】
実施形態４０は、実施形態２２乃至３９のいずれか１つの方法であり、搬送波信号は、中間周波数搬送波信号であり、方法は、更に、結合信号を送信搬送波信号の周波数にシフトアップすることを含む。
【０２０２】
実施形態４１は、実施形態２２の方法であり、データ信号に基づいて正弦波信号を変調してＴＭ信号を提供することは、データ信号に基づいて正弦波信号の振幅を変調してＴＭ信号を提供することを含む。
【０２０３】
実施形態４２は、実施形態４１の方法であり、ＴＭ信号のシンボル期間は、非ＴＭ信号のデータシンボルのシンボル期間の整数倍である。
【０２０４】
実施形態４３は、搬送波信号を変調する方法であり、方法は、正弦波信号を生成することによって転置変調（ＴＭ）信号を生成し、データ信号に基づいて正弦波信号の位相を変調してＴＭ信号を提供することと、ＴＭ信号を搬送波信号に挿入してＴＭ変調搬送波信号を提供することと、ＴＭ変調搬送波信号を送信することとを含む。
【０２０５】
実施形態４４は、実施形態４３の方法であり、ＴＭ信号を搬送波信号に挿入することは、ＴＭ信号を搬送波信号の位相に挿入してＴＭ変調搬送波信号を提供することを含む。
【０２０６】
実施形態４５は、実施形態４４の方法であり、ＴＭ信号は、ＴＭ信号を搬送波信号の位相に追加することによって搬送波信号の位相に挿入される。
【０２０７】
実施形態４６は、実施形態４３の方法であり、ＴＭ信号を搬送波信号に挿入することは、ＴＭ信号を搬送波信号の周波数に挿入してＴＭ変調搬送波信号を提供することを含む。
【０２０８】
実施形態４７は、実施形態４６の方法であり、ＴＭ信号は、ＴＭ信号を搬送波信号の周波数に追加することによって搬送波信号の周波数に挿入される。
【０２０９】
実施形態４８は、実施形態４３乃至４７のいずれか１つの方法であり、データ信号に基づいて正弦波信号を変調してＴＭ信号を提供することは、データ信号に基づいて正弦波信号の位相を変調してＴＭ信号を提供することを含む。
【０２１０】
実施形態４９は、実施形態４８の方法であり、データ信号に基づいて正弦波信号の位相を変調してＴＭ信号を提供することは、正弦波信号の位相をデータ信号内の各データ値の個別の位相シフトだけ変化させることを含む。
【０２１１】
実施形態５０は、実施形態４９の方法であり、個別の位相シフトの値の変化は、正弦波信号の周期の整数倍に対応するように時間が合わされる。
【０２１２】
実施形態５１は、実施形態４９乃至５０のいずれか１つの方法であり、各個別の位相シフトは、データ信号のデータ値を表すＴＭシンボルである。
【０２１３】
実施形態５２は、実施形態４３乃至５１のいずれか１つの方法であり、データ信号に基づいて正弦波信号を変調することが、データ信号に基づいて正弦波信号の位相と振幅の両方を変調してＴＭ信号を提供することを含む。
【０２１４】
実施形態５３は、実施形態４３乃至５２のいずれか１つの方法であり、ＴＭ信号のシンボル期間は、正弦波信号の周期の整数倍である。
【０２１５】
実施形態５４は、実施形態４３乃至５３のいずれか１つの方法であり、更に、ＴＭ変調搬送波信号を送信する前にＴＭ変調搬送波信号をフィルタリングすることを含む。
【０２１６】
実施形態５５は、実施形態４３乃至５４のいずれか１つの方法であり、搬送波信号は、中間周波数搬送波信号であり、方法は、更に、ＴＭ変調搬送波信号を送信搬送波信号の周波数にシフトアップすることを含む。
【０２１７】
実施形態５６は、実施形態４３の方法であり、データ信号に基づいて正弦波信号を変調してＴＭ信号を提供することは、データ信号に基づいて正弦波信号の振幅を変調してＴＭ信号を提供することを含む。
【０２１８】
実施形態５７は、実施形態５６の方法であり、ＴＭ信号のシンボル期間は、搬送波信号の周期の整数倍である。
【０２１９】
実施形態５８は、搬送波信号を復調する方法であり、方法は、転置変調（ＴＭ）信号と非ＴＭ信号の両方で変調された搬送波信号を含む結合信号を受信することと、非ＴＭ信号のそれぞれのシンボルフレーム全体にわたる結合信号の平均値を決定することと、結合信号の平均値に基づいて非ＴＭ信号を復調することと、結合信号から非ＴＭ信号を除去することと、ＴＭ信号を復調することとを含む。
【０２２０】
実施形態５９は、実施形態５８の方法であり、平均値を決定することは、非ＴＭ信号のそれぞれのシンボルフレーム全体にわたる結合信号の平均マグニチュード値を決定することを含む。
【０２２１】
実施形態６０は、実施形態５８乃至５９のいずれか１つの方法であり、平均値を決定することは、非ＴＭ信号のそれぞれのシンボルフレーム全体にわたる結合信号の平均位相値を決定することを含む。
【０２２２】
実施形態６１は、実施形態５８乃至６０のいずれか１つの方法であり、平均値を決定することは、非ＴＭ信号のそれぞれのシンボルフレーム全体にわたる結合信号の平均マグニチュード値と平均位相値を決定することを含む。
【０２２３】
実施形態６２は、実施形態５８乃至６１のいずれか１つの方法であり、非ＴＭ信号は、ＱＡＭ信号である。
【０２２４】
実施形態６３は、実施形態５８乃至６２のいずれか１つの方法であり、更に、結合信号を中間周波数にシフトすることを含む。
【０２２５】
実施形態６４は、実施形態５８乃至６３のいずれか１つの方法であり、更に、結合信号をベースバンドにシフトすることを含む。
【０２２６】
実施形態６５は、実施形態５８乃至６４のいずれか１つの方法であり、結合信号から非ＴＭ信号を除去することは、結合信号のバッファコピーから非ＴＭ信号を除去することを含む。
【０２２７】
実施形態６６は、実施形態５８乃至６５のいずれか１つの方法であり、結合信号から非ＴＭ信号を除去することは、非ＴＭ信号の回復されたシンボル値を使用して結合信号のバッファコピーから非ＴＭ信号を除去することを含む。
【０２２８】
実施形態６７は、実施形態６６の方法であり、結合信号から非ＴＭ信号を除去することは、結合信号のそれぞれのフレームを、非ＴＭ信号の回復されたシンボル値の対応する１つのマグニチュードと位相値によって分割することを含む。
【０２２９】
実施形態６８は、実施形態５８乃至６７のいずれか１つの方法であり、ＴＭ信号を復調することは、搬送波信号の位相からＴＭ信号を抽出することと、ＴＭ信号の個別の位相シフトを検出することとを含む。
【０２３０】
実施形態６９は、実施形態５８乃至６７のいずれか１つの方法であり、ＴＭ信号を復調することは、搬送波信号の位相からＴＭ信号を抽出することと、ＴＭ信号の位相シフトと振幅シフトを検出することとを含む。
【０２３１】
実施形態７０は、搬送波信号を復調する方法であって、方法は、転置変調（ＴＭ）信号で変調された搬送波信号を含む変調搬送波信号を受け取ることと、変調信号のシンボル期間全体にわたる変調搬送波信号の平均位相を決定することと、搬送波信号の平均位相に基づいて基準信号を生成することと、ＴＭ信号を表す、変調搬送波信号と基準信号の間の経時変化位相差を決定することによって搬送波信号からＴＭ信号を抽出することと、変調信号と基準信号の間の個別の位相シフトを識別することによってＴＭ信号を復調することとを含む。
【０２３２】
実施形態７１は、実施形態７０の方法であり、更に、変調搬送波信号を中間周波数にシフトすることを含む。
【０２３３】
実施形態７２は、実施形態７０乃至７１のいずれか１つの方法であり、更に、変調搬送波信号をベースバンドにシフトすることを含む。
【０２３４】
実施形態７３は、実施形態７０乃至７２のいずれか１つの方法であり、ＴＭ信号を復調することが、更に、ＴＭ信号の振幅シフトを検出することを含む。
【０２３５】
実施形態７４は、送信器であり、送信器は、第１のデータ信号を受け取るように構成され、第１のデータ信号に基づいて正弦波信号を変調することによってＴＭ信号を生成してＴＭ信号を提供するように構成された転置変調（ＴＭ）信号発生器と、第２のデータ信号に基づいて搬送波信号を非ＴＭ信号で変調するように構成された非ＴＭ信号変調器と、ＴＭ信号発生器と非ＴＭ信号変調器に結合された内部搬送波変調器とを含み、内部搬送波変調器が、ＴＭ信号発生器からＴＭ信号を受け取り、ＴＭ信号を搬送波信号に挿入するように構成される。
【０２３６】
実施形態７５は、実施形態７４の送信器であり、ＴＭ信号発生器は、第１のデータ信号に基づいて正弦波信号の位相を変調することによってＴＭ信号を生成してＴＭ信号を提供するように構成されたフレーム式信号変調器を含む。
【０２３７】
実施形態７６は、実施形態７５の送信器であり、データ信号に基づいて正弦波信号の位相を変調してＴＭ信号を提供することは、正弦波信号の位相をデータ信号内の各データ値の個別の位相シフトだけ変化させることを含む。
【０２３８】
実施形態７７は、実施形態７６の送信器であり、個別の位相シフトの値の変化は、正弦波信号の周期の整数倍に対応するように時間が合わされる。
【０２３９】
実施形態７８は、実施形態７６乃至７７のいずれか１つの送信器であり、各個別の位相シフトは、データ信号のデータ値を表すＴＭシンボルである。
【０２４０】
実施形態７９は、実施形態７４の送信器であり、ＴＭ信号発生器は、第１のデータ信号に基づいて正弦波信号の振幅を変調することによってＴＭ信号を生成してＴＭ信号を提供するように構成されたフレーム式信号変調器を含む。
【０２４１】
実施形態８０は、実施形態７４の送信器であり、ＴＭ信号発生器は、第１のデータ信号に基づいて正弦波信号の位相と振幅の両方を変調することによってＴＭ信号を生成してＴＭ信号を提供するように構成されたフレーム式信号変調器を含む。
【０２４２】
実施形態８１は、実施形態７４乃至８０のいずれか１つの送信器であり、内部搬送波変調器は、ＴＭ信号を搬送波信号の位相に挿入するように構成される。
【０２４３】
実施形態８２は、実施形態７４乃至８０のいずれか１つの送信器であり、内部搬送波変調器は、搬送波信号の周波数にＴＭ信号を挿入するように構成される。
【０２４４】
実施形態８３は、実施形態７４乃至８２のいずれか１つの送信器であり、正弦波信号は、非ＴＭ信号のシンボルレートの整数倍の周波数を有する。
【０２４５】
実施形態８４は、実施形態７４乃至８３のいずれか１つの送信器であり、非ＴＭ変調信号がＱＡＭ信号である。
【０２４６】
実施形態８５は、実施形態７４乃至８３のいずれか１つの送信器であり、非ＴＭ信号は、振幅変調信号、周波数変調信号又は位相変調信号である。
【０２４７】
実施形態８６は、実施形態７４乃至８５のいずれか１つの送信器であり、第２のデータ信号が、第１のデータ信号とは異なる。
【０２４８】
実施形態８７は、実施形態７４乃至８５のいずれか１つの送信器であり、第１のデータ信号が、第３のデータ信号の第１の部分を含み、第２のデータ信号が、第３のデータ信号の第２の部分を含む。
【０２４９】
実施形態８８は、実施形態７９の送信器であり、ＴＭ信号のシンボル期間が、非ＴＭ信号のデータシンボルのシンボル期間の整数倍である。
【０２５０】
実施形態８９が、実施形態７４乃至８８のいずれか１つの送信器であり、ＴＭ信号発生器が、更に、第１のデータ信号の値をＴＭ信号のＴＭシンボルに符号化するように構成されたＴＭシンボルマッパを含む。
【０２５１】
実施形態９０は、実施形態８９の送信器であり、ＴＭシンボルが、位相シフト、振幅シフト、又は位相シフトと振幅シフトの両方を含む。
【０２５２】
実施形態９１は、受信器であり、この受信器は、転置変調（ＴＭ）信号と非ＴＭ信号の両方で変調された搬送波信号を含む結合信号を受け取るように構成され、非ＴＭ信号のそれぞれのシンボルフレーム全体にわたって結合信号の平均値を決定するように構成されたたフレーム平均化信号推定器と、フレーム平均化信号推定器に結合され、結合信号の平均値に基づいて非ＴＭ信号を復調するように構成された非ＴＭ信号復調器と、フレーム平均化推定器に結合され、結合信号の非ＴＭ信号からＴＭ信号を分離するように構成されたＴＭ信号分離器と、ＴＭ信号分離器に結合され、ＴＭ信号を復調するように構成されたＴＭ信号復調器とを含む。
【０２５３】
実施形態９２は、実施形態９１の受信器であり、フレーム平均化信号推定器は、非ＴＭ信号のそれぞれのシンボルフレーム全体にわたる結合信号の平均マグニチュード値を決定することによって結合信号の平均値を決定するように構成される。
【０２５４】
実施形態９３は、実施形態９１乃至９２のいずれか１つの受信器であり、フレーム平均化信号推定器は、非ＴＭ信号のそれぞれのシンボルフレーム全体にわたる結合信号の平均位相値を決定することによって、結合信号の平均値を決定するように構成される。
【０２５５】
実施形態９４は、実施形態９１乃至９３のいずれか１つの受信器であり、フレーム平均化信号推定器は、非ＴＭ信号のそれぞれのシンボルフレーム全体にわたる結合信号の平均マグニチュード値と平均位相値を決定することによって結合信号の平均値を決定するように構成される。
【０２５６】
実施形態９５は、実施形態９１乃至９４のいずれか１つの受信器であり、非ＴＭ信号は、ＱＡＭ信号である。
【０２５７】
実施形態９６は、実施形態９１乃至９５のいずれか１つの受信器であり、ＴＭ信号分離器は、結合信号のバッファコピーから非ＴＭ信号を除去することによって非ＴＭ信号からＴＭ信号を分離するように構成される。
【０２５８】
実施形態９７は、実施形態９１乃至９６のいずれか１つの受信器であり、ＴＭ信号分離器は、非ＴＭ信号の回復されたシンボル値を使用することによって非ＴＭ信号からＴＭ信号を分離して、結合信号のバッファコピーから非ＴＭ信号を除去するように構成される。
【０２５９】
実施形態９８は、実施形態９１乃至９７のいずれか１つの受信器であり、ＴＭ信号分離器は、結合信号のそれぞれのフレームを、非ＴＭ信号の回復シンボル値の対応する１つのマグニチュードと位相値で割ることによって、非ＴＭ信号からＴＭ信号を分離するように構成される。
【０２６０】
実施形態９９は、実施形態９１乃至９８のいずれか１つの受信器であり、ＴＭ信号復調器は、搬送波信号の位相からＴＭ信号を抽出し、ＴＭ信号の個別の位相シフトを検出するように構成される。
【０２６１】
実施形態１００は、実施形態９１乃至９８のいずれか１つ受信器であり、ＴＭ信号復調器が、搬送波信号の位相からＴＭ信号を抽出し、ＴＭ信号の位相シフトと振幅シフトを検出するように構成される。
【０２６２】
実施形態１０１は、少なくとも１つのプロセッサと、命令が記憶された少なくとも１つのプロセッサに結合されたデータストアとを含む送信器であり、命令は、少なくとも１つのプロセッサによって実行されたときに、少なくとも１つのプロセッサに、正弦波信号を生成することによって転置変調（ＴＭ）信号を生成する操作と、データ信号に基づいて正弦波信号を変調してＭ信号を提供する操作と、ＴＭ信号を搬送波信号に挿入してＴＭ変調搬送波信号を提供する操作と、ＴＭ変調搬送波信号を非ＴＭ信号で変調して結合信号を提供する操作と、結合信号を送信する操作とを含む操作を実行させる。
【０２６３】
実施形態１０２は、実施形態１０１の送信器であり、少なくとも１つのプロセッサが、フィールドプログラマブルゲートアレイ（ＦＰＧＡ）、特定用途向け集積回路（ＡＳＩＣ）又はソフトウェア無線（ＳＤＲ）のうちの１つを含む。
【０２６４】
実施形態１０３は、実施形態１０１乃至１０２のいずれか１つの送信器であり、ＴＭ信号を搬送波信号に挿入する操作が、ＴＭ信号を搬送波信号の位相に挿入してＴＭ変調搬送波信号を提供することを含む。
【０２６５】
実施形態１０４は、実施形態１０３の送信器であり、ＴＭ信号は、ＴＭ信号を搬送波信号の位相に追加することによって搬送波信号の位相に挿入される。
【０２６６】
実施形態１０５は、実施形態１０１乃至１０２のいずれか１つの送信器であり、ＴＭ信号を搬送波信号に挿入する操作が、ＴＭ信号を搬送波信号の周波数に挿入してＴＭ変調搬送波信号を提供することを含む。
【０２６７】
実施形態１０６は、実施形態１０５の送信器であり、ＴＭ信号は、ＴＭ信号を搬送波信号の周波数に追加することによって搬送波信号の周波数に挿入される。
【０２６８】
実施形態１０７は、実施形態１０１乃至１０６のいずれか１つの送信器であり、正弦波信号は、非ＴＭ信号のデータシンボルのシンボルレートの整数倍の周波数を有する。
【０２６９】
実施形態１０８は、実施形態１０１乃至１０７のいずれか１つの送信器であり、データ信号に基づいて正弦波信号を変調してＴＭ信号を提供する操作は、データ信号に基づいて正弦波信号の位相を変調してＴＭ信号を提供することを含む。
【０２７０】
実施形態１０９は、実施形態１０８の送信器であり、データ信号に基づいて正弦波信号の位相を変調してＴＭ信号を提供する操作は、正弦波信号の位相をデータ信号内の各データ値の個別の位相シフトだけ変化させることを含む。
【０２７１】
実施形態１１０は、実施形態１０９の送信器であり、個別の位相シフトの値の変化は、正弦波信号の周期の整数倍に対応するように時間が合わされる。
【０２７２】
実施形態１１１は、実施形態１０９乃至１１０のいずれか１つの送信器であり、各個別の位相シフトは、データ信号のデータ値を表すＴＭシンボルである。
【０２７３】
実施形態１１２は、実施形態１０１乃至１１１のいずれか１つの送信器であり、データ信号に基づいて正弦波信号を変調する操作が、データ信号に基づいて正弦波信号の位相と振幅の両方を変調してＴＭ信号を提供することを含む。
【０２７４】
実施形態１１３は、実施形態１０１乃至１１２のいずれか１つの送信器であり、ＴＭ信号のシンボル期間は、正弦波信号の周期の整数倍である。
【０２７５】
実施形態１１４は、実施形態１０１乃至１１３のいずれか１つの送信器であり、非ＴＭ変調信号がＱＡＭ信号である。
【０２７６】
実施形態１１５は、実施形態１０１乃至１１４のいずれか１つの送信器であり、非ＴＭ信号は、振幅変調信号、周波数変調信号又は位相変調信号である。
【０２７７】
実施形態１１６は、実施形態１０１乃至１１５のいずれか１つの送信器であり、データ信号は、第１のデータ信号であり、非ＴＭ信号は、第２のデータ信号に基づいて変調される。
【０２７８】
実施形態１１７は、実施形態１１６の送信器であり、第２のデータ信号は、第１のデータ信号とは異なる。
【０２７９】
実施形態１１８は、実施形態１１６の送信器であり、第１のデータ信号は、第３のデータ信号の第１の部分を含み、第２のデータ信号は、第３のデータ信号の第２の部分を含む。
【０２８０】
実施形態１１９は、実施形態１０１乃至１１８のいずれか１つの送信器であり、更に、結合信号を送信する前に、結合信号をフィルタリングすることを含む。
【０２８１】
実施形態１２０は、実施形態１０１乃至１１９のいずれか１つの送信器であり、搬送波信号は、中間周波数搬送波信号であり、方法は、更に、結合信号を送信搬送波信号の周波数にシフトアップすることを含む。
【０２８２】
実施形態１２１は、実施形態１０１乃至１０２のいずれか１つの送信器であり、データ信号に基づいて正弦波信号を変調してＴＭ信号を提供する操作は、データ信号に基づいて正弦波信号の振幅を変調してＴＭ信号を提供することを含む。
【０２８３】
実施形態１２２は、実施形態１２１の送信器であり、ＴＭ信号のシンボル期間が、非ＴＭ信号のデータシンボルのシンボル期間の整数倍である。
【０２８４】
実施形態１２３は、命令を記憶する非一時的コンピュータ可読記憶媒体であり、命令は、少なくとも１つのプロセッサによって実行されたときに、少なくとも１つのプロセッサに、正弦波信号を生成することによって転置変調（ＴＭ）信号を生成し、データ信号に基づいて正弦波信号を変調してＴＭ信号を提供する操作と、ＴＭ信号を搬送波信号に挿入してＴＭ変調搬送波信号を提供する操作と、ＴＭ変調搬送波信号を非ＴＭ信号で変調して結合信号を提供する操作と、結合信号を送信する操作とを含む操作を実行させる。
【０２８５】
実施形態１２４は、実施形態１２３の媒体であり、ＴＭ信号を搬送波信号に挿入する操作は、ＴＭ信号を搬送波信号の位相に挿入してＴＭ変調搬送波信号を提供することを含む。
【０２８６】
実施形態１２５は、実施形態１２４の媒体であり、ＴＭ信号は、ＴＭ信号を搬送波信号の位相に追加することによって搬送波信号の位相に挿入される。
【０２８７】
実施形態１２６は、実施形態１２３の媒体であり、ＴＭ信号を搬送波信号に挿入する操作は、ＴＭ信号を搬送波信号の周波数に挿入してＴＭ変調搬送波信号を提供することを含む。
【０２８８】
実施形態１２７は、実施形態１２６の媒体であり、ＴＭ信号は、ＴＭ信号を搬送波信号の周波数に追加することによって搬送波信号の周波数に挿入される。
【０２８９】
実施形態１２８は、実施形態１２３乃至１２７のいずれか１つの媒体であり、正弦波信号は、非ＴＭ信号のデータシンボルのシンボルレートの整数倍の周波数を有する。
【０２９０】
実施形態１２９は、実施形態１２３乃至１２８のいずれか１つの媒体であり、データ信号に基づいて正弦波信号を変調してＴＭ信号を提供する操作は、データ信号に基づいて正弦波信号の位相を変調してＴＭ信号を提供することを含む。
【０２９１】
実施形態１３０は、実施形態１２９の媒体であり、データ信号に基づいて正弦波信号の位相を変調してＴＭ信号を提供する操作は、正弦波信号の位相をデータ信号内の各データ値の個別の位相シフトだけ変化させることを含む。
【０２９２】
実施形態１３１は、実施形態１３０の媒体であり、個別の位相シフトの値の変化は、正弦波信号の周期の整数倍に対応するように時間が合わされる。
【０２９３】
実施形態１３２は、実施形態１３０乃至１３１のいずれか１つの媒体であり、各個別の位相シフトは、データ信号のデータ値を表すＴＭシンボルである。
【０２９４】
実施形態１３３は、実施形態１２３乃至１３２のいずれか１つの媒体であり、データ信号に基づいて正弦波信号を変調する操作が、データ信号に基づいて正弦波信号の位相と振幅の両方を変調してＴＭ信号を提供することを含む。
【０２９５】
実施形態１３４は、実施形態１２３乃至１３３のいずれか１つの媒体であり、ＴＭ信号のシンボル期間は、正弦波信号の周期の整数倍である。
【０２９６】
実施形態１３５は、実施形態１２３乃至１３４のいずれか１つの媒体であり、非ＴＭ変調信号がＱＡＭ信号である。
【０２９７】
実施形態１３６は、実施形態１２３乃至１３５のいずれか１つの媒体であり、非ＴＭ信号は、振幅変調信号、周波数変調信号又は位相変調信号である。
【０２９８】
実施形態１３７は、実施形態１２３乃至１３６のいずれか１つの媒体であり、データ信号は、第１のデータ信号であり、非ＴＭ信号は、第２のデータ信号に基づいて変調される。
【０２９９】
実施形態１３８は、実施形態１３７の媒体であり、第２のデータ信号は、第１のデータ信号とは異なる。
【０３００】
実施形態１３９は、実施形態１３７の媒体であり、第１のデータ信号は、第３のデータ信号の第１の部分を含み、第２のデータ信号は、第３のデータ信号の第２の部分を含む。
【０３０１】
実施形態１４０は、実施形態１２３乃至１３９のいずれか１つの媒体であり、更に、結合信号を送信する前に結合信号をフィルタリングすることを含む。  
【０３０２】
実施形態１４１は、実施形態１２３乃至１４０のいずれか１つの媒体であり、搬送波信号は、中間周波数搬送波信号であり、方法は、更に、結合信号を送信搬送波信号の周波数にシフトアップすることを含む。
【０３０３】
実施形態１４２は、実施形態１２３の媒体であり、データ信号に基づいて正弦波信号を変調してＴＭ信号を提供する操作は、データ信号に基づいて正弦波信号の振幅を変調してＴＭ信号を提供することを含む。
【０３０４】
実施形態１４３は、実施形態１４２の媒体であり、ＴＭ信号のシンボル期間が、非ＴＭ信号のデータシンボルのシンボル期間の整数倍である。
【０３０５】
実施形態１４４は、少なくとも１つのプロセッサと、命令が記憶された少なくとも１つのプロセッサに結合されたデータストアとを含む送信器であり、命令は、少なくとも１つのプロセッサによって実行されたときに、少なくとも１つのプロセッサに、正弦波信号を生成することによって転置変調（ＴＭ）信号を生成し、データ信号に基づいて正弦波信号を変調してＴＭ信号を提供する操作と、ＴＭ信号を非ＴＭ変調搬送波信号に挿入して結合信号を提供する操作と、結合信号を送信する操作とを含む操作を実行させる。
【０３０６】
実施形態１４５は、実施形態１４４の送信器であり、ＴＭ信号を非ＴＭ変調搬送波信号に挿入する操作は、ＴＭ信号を非ＴＭ変調搬送波信号の位相に挿入して結合信号を提供することを含む。
【０３０７】
実施形態１４６は、実施形態１４５の送信器であり、ＴＭ信号は、ＴＭ信号を非ＴＭ変調搬送波信号の位相に追加することによって非ＴＭ変調搬送波信号の位相に挿入される。
【０３０８】
実施形態１４７は、実施形態１４４の送信器であり、ＴＭ信号を非ＴＭ変調搬送波信号に挿入する操作は、ＴＭ信号を非ＴＭ変調搬送波信号の周波数に挿入して結合信号を提供することを含む。
【０３０９】
実施形態１４８は、実施形態１４７の送信器であり、ＴＭ信号は、ＴＭ信号を非ＴＭ変調搬送波信号の周波数に追加することによって非ＴＭ変調搬送波信号の周波数に挿入される。
【０３１０】
実施形態１４９は、実施形態１４４乃至１４８のいずれか１つのトランミスミッタであり、正弦波信号は、非ＴＭ信号のデータシンボルのシンボルレートの整数倍の周波数を有する。
【０３１１】
実施形態１５０は、実施形態１４４乃至１４９のいずれか１つの送信器であり、データ信号に基づいて正弦波信号を変調してＴＭ信号を提供する操作は、データ信号に基づいて正弦波信号の位相を変調してＴＭ信号を提供することを含む。
【０３１２】
実施形態１５１は、実施形態１５０の送信器であり、データ信号に基づいて正弦波信号の位相を変調してＴＭ信号を提供する操作は、正弦波信号の位相をデータ信号内の各データ値の個別の位相シフトだけ変化させることを含む。
【０３１３】
実施形態１５２は、実施形態１５１の送信器であり、個別の位相シフトの値の変化は、正弦波信号の周期の整数倍に対応するように時間が合わされる。
【０３１４】
実施形態１５３は、実施形態１５１乃至１５２のいずれか１つの送信器であり、各個別の位相シフトは、データ信号のデータ値を表すＴＭシンボルである。
【０３１５】
実施形態１５４は、実施形態１４４乃至１５３のいずれか１つの送信器であり、データ信号に基づいて正弦波信号を変調する操作が、データ信号に基づいて正弦波信号の位相と振幅の両方を変調してＴＭ信号を提供することを含む。
【０３１６】
実施形態１５５は、実施形態１４４乃至１５４のいずれか１つの送信器であり、ＴＭ信号のシンボル期間は、正弦波信号の周期の整数倍である。
【０３１７】
実施形態１５６は、実施形態１４４乃至１５５のいずれか１つの送信器であり、非ＴＭ変調信号がＱＡＭ信号である。
【０３１８】
実施形態１５７は、実施形態１４４乃至１５６のいずれか１つの送信器であり、非ＴＭ信号は、振幅変調信号、周波数変調信号又は位相変調信号である。
【０３１９】
実施形態１５８は、実施形態１４４乃至１５７のいずれか１つの送信器であり、データ信号は、第１のデータ信号であり、非ＴＭ信号は、第２のデータ信号に基づいて変調される。
【０３２０】
実施形態１５９は、実施形態１５８の送信器であり、第２のデータ信号は、第１のデータ信号とは異なる。
【０３２１】
実施形態１６０は、実施形態１５８の送信器であり、第１のデータ信号は、第３のデータ信号の第１の部分を含み、第２のデータ信号は、第３のデータ信号の第２の部分を含む。
【０３２２】
実施形態１６１は、実施形態１４４乃至１６０のいずれか１つの送信器であり、更に、結合信号を送信する前に、結合信号をフィルタリングすることを含む。
【０３２３】
実施形態１６２は、実施形態１４４乃至１６１のいずれか１つの送信器であり、搬送波信号は、中間周波数搬送波信号であり、方法は、更に、結合信号を送信搬送波信号の周波数にシフトアップすることを含む。
【０３２４】
実施形態１６３は、実施形態１４４の送信器であり、データ信号に基づいて正弦波信号を変調してＴＭ信号を提供する操作は、データ信号に基づいて正弦波信号の振幅を変調してＴＭ信号を提供することを含む。
【０３２５】
実施形態１６４は、実施形態１４４乃至１６３のいずれか１つの送信器であり、少なくとも１つのプロセッサが、フィールドプログラマブルゲートアレイ（ＦＰＧＡ）、特定用途向け集積回路（ＡＳＩＣ）又はソフトウェア無線（ＳＤＲ）のうちの１つを含む。
【０３２６】
実施形態１６５は、命令を記憶する非一時的コンピュータ可読記憶媒体であり、命令は、少なくとも１つのプロセッサによって実行されたときに、少なくとも１つのプロセッサに、正弦波信号を生成することによって転置変調（ＴＭ）信号を生成し、データ信号に基づいて正弦波信号を変調してＴＭ信号を提供する操作と、ＴＭ信号を非ＴＭ変調搬送波信号に挿入して結合信号を提供する操作と、結合信号を送信する操作とを含む操作を実行させる。
【０３２７】
実施形態１６６は、実施形態１６５の媒体であり、ＴＭ信号を非ＴＭ変調搬送波信号に挿入する操作は、ＴＭ信号を非ＴＭ変調搬送波信号の位相に挿入して結合信号を提供することを含む。
【０３２８】
実施形態１６７は、実施形態１６６の媒体であり、ＴＭ信号は、ＴＭ信号を非ＴＭ変調搬送波信号の位相に追加することによって非ＴＭ変調搬送波信号の位相に挿入される。
【０３２９】
実施形態１６８は、実施形態１６５の媒体であり、ＴＭ信号を非ＴＭ変調搬送波信号に挿入する操作は、ＴＭ信号を非ＴＭ変調搬送波信号の周波数に挿入して結合信号を提供することを含む。
【０３３０】
実施形態１６９は、実施形態１６８の方法であり、ＴＭ信号は、ＴＭ信号を非ＴＭ変調搬送波信号の周波数に追加することによって非ＴＭ変調搬送波信号の周波数に挿入される。
【０３３１】
実施形態１７０は、実施形態１６５乃至１６９のいずれか１つの媒体であり、正弦波信号は、非ＴＭ信号のデータシンボルのシンボルレートの整数倍の周波数を有する。
【０３３２】
実施形態１７１は、実施形態１６５乃至１７０のいずれか１つの媒体であり、データ信号に基づいて正弦波信号を変調してＴＭ信号を提供する操作は、データ信号に基づいて正弦波信号の位相を変調してＴＭ信号を提供することを含む。
【０３３３】
実施形態１７２は、実施形態１７１の媒体であり、データ信号に基づいて正弦波信号の位相を変調してＴＭ信号を提供する操作は、正弦波信号の位相をデータ信号内の各データ値の個別の位相シフトだけ変化させることを含む。
【０３３４】
実施形態１７３は、実施形態１７２の媒体であり、個別の位相シフトの値の変化は、正弦波信号の周期の整数倍に対応するように時間が合わされる。
【０３３５】
実施形態１７４は、実施形態１７２乃至１７３のいずれか１つの媒体であり、各個別の位相シフトは、データ信号のデータ値を表すＴＭシンボルである。
【０３３６】
実施形態１７５は、実施形態１６５乃至１７４のいずれか１つの媒体であり、データ信号に基づいて正弦波信号を変調する操作が、データ信号に基づいて正弦波信号の位相と振幅の両方を変調してＴＭ信号を提供することを含む。
【０３３７】
実施形態１７６は、実施形態１６５乃至１７５のいずれか１つの媒体であり、ＴＭ信号のシンボル期間は、正弦波信号の周期の整数倍である。
【０３３８】
実施形態１７７は、実施形態１６５乃至１７６のいずれか１つの媒体であり、非ＴＭ変調信号がＱＡＭ信号である。
【０３３９】
実施形態１７８は、実施形態１６５乃至１７７のいずれか１つの媒体であり、非ＴＭ信号は、振幅変調信号、周波数変調信号又は位相変調信号である。
【０３４０】
実施形態１７９は、実施形態１６５乃至１７８のいずれか１つの媒体であり、データ信号は、第１のデータ信号であり、非ＴＭ信号は、第２のデータ信号に基づいて変調される。
【０３４１】
実施形態１８０は、実施形態１７９の媒体であり、第２のデータ信号は、第１のデータ信号とは異なる。
【０３４２】
実施形態１８１は、実施形態１７９の媒体であり、第１のデータ信号は、第３のデータ信号の第１の部分を含み、第２のデータ信号は、第３のデータ信号の第２の部分を含む。
【０３４３】
実施形態１８２は、実施形態１６５乃至１８１のいずれか１つの媒体であり、更に、結合信号を送信する前に結合信号をフィルタリングすることを含む。
【０３４４】
実施形態１８３は、実施形態１６５乃至１８２のいずれか１つの媒体であり、搬送波信号は、中間周波数搬送波信号であり、方法は、更に、結合信号を送信搬送波信号の周波数にシフトアップすることを含む。
【０３４５】
実施形態１８４は、実施形態１６５の媒体であり、データ信号に基づいて正弦波信号を変調してＴＭ信号を提供する操作は、データ信号に基づいて正弦波信号の振幅を変調してＴＭ信号を提供することを含む。
【０３４６】
実施形態１８５は、実施形態１８４の媒体であり、ＴＭ信号のシンボル期間が、非ＴＭ信号のデータシンボルのシンボル期間の整数倍である。
【０３４７】
実施形態１８６は、少なくとも１つのプロセッサと、命令が記憶された少なくとも１つのプロセッサに結合されたデータストアとを含む送信器であり、命令は、少なくとも１つのプロセッサによって実行されたときに、少なくとも１つのプロセッサに、正弦波信号を生成することによって転置変調（ＴＭ）信号を生成し、データ信号に基づいて正弦波信号の位相を変調してＴＭ信号を提供する操作と、ＴＭ信号を搬送波信号に挿入してＴＭ変調搬送波信号を提供する操作と、ＴＭ変調搬送波信号を送信する操作とを含む操作を実行させる。
【０３４８】
実施形態１８７は、実施形態１８６の送信器であり、ＴＭ信号を搬送波信号に挿入する操作は、ＴＭ信号を搬送波信号の位相に挿入してＴＭ変調搬送波信号を提供することを含む。
【０３４９】
実施形態１８８は、実施形態１８７の送信器であり、ＴＭ信号は、ＴＭ信号を搬送波信号の位相に追加することによって搬送波信号の位相に挿入される。
【０３５０】
実施形態１８９は、実施形態１８６の送信器であり、ＴＭ信号を搬送波信号に挿入する操作は、ＴＭ信号を搬送波信号の周波数に挿入してＴＭ変調搬送波信号を提供することを含む。
【０３５１】
実施形態１９０は、実施形態１８９の送信器であり、ＴＭ信号は、ＴＭ信号を搬送波信号の周波数に追加することによって搬送波信号の周波数に挿入される。
【０３５２】
実施形態１９１は、実施形態１８６乃至１９０のいずれか１つの送信器であり、データ信号に基づいて正弦波信号を変調してＴＭ信号を提供する操作は、データ信号に基づいて正弦波信号の位相を変調してＴＭ信号を提供することを含む。
【０３５３】
実施形態１９２は、実施形態１９１の送信器であり、データ信号に基づいて正弦波信号の位相を変調してＴＭ信号を提供する操作は、正弦波信号の位相をデータ信号内の各データ値の個別の位相シフトだけ変化させることを含む。
【０３５４】
実施形態１９３は、実施形態１９２の送信器であり、個別の位相シフトの値の変化は、正弦波信号の周期の整数倍に対応するように時間が合わされる。
【０３５５】
実施形態１９４は、実施形態１９２乃至１９３のいずれか１つの送信器であり、各個別の位相シフトは、データ信号のデータ値を表すＴＭシンボルである。
【０３５６】
実施形態１９５は、実施形態１８６乃至１９４のいずれか１つの送信器であり、データ信号に基づいて正弦波信号を変調する操作が、データ信号に基づいて正弦波信号の位相と振幅の両方を変調してＴＭ信号を提供することを含む。
【０３５７】
実施形態１９６は、実施形態１８６乃至１９５のいずれか１つの送信器であり、ＴＭ信号のシンボル期間は、正弦波信号の周期の整数倍である。
【０３５８】
実施形態１９７は、実施形態１８６乃至１９６のいずれか１つの送信器であり、更に、ＴＭ変調搬送波信号を送信する前に、ＴＭ変調搬送波信号をフィルタリングすることを含む。
【０３５９】
実施形態１９８は、実施形態１８６乃至１９７のいずれか１つの送信器であり、搬送波信号は、中間周波数搬送波信号であり、方法は、更に、ＴＭ変調搬送波信号を送信搬送波信号の周波数にシフトアップすることを含む。
【０３６０】
実施形態１９９は、実施形態１８６乃至１９８のいずれか１つの送信器であり、少なくとも１つのプロセッサが、フィールドプログラマブルゲートアレイ（ＦＰＧＡ）、特定用途向け集積回路（ＡＳＩＣ）又はソフトウェア無線（ＳＤＲ）のうちの１つを含む。
【０３６１】
実施形態２００は、命令を記憶する非一時的コンピュータ可読記憶媒体であり、命令は、少なくとも１つのプロセッサによって実行されたときに、少なくとも１つのプロセッサに、正弦波信号を生成することによって転置変調（ＴＭ）信号を生成し、データ信号に基づいて正弦波信号の位相を変調してＴＭ信号を提供する操作と、ＴＭ信号を搬送波信号に挿入してＴＭ変調搬送波信号を提供する操作と、ＴＭ変調搬送波信号を送信する操作とを含む操作を実行させる。
【０３６２】
実施形態２０１は、実施形態２００の媒体であり、ＴＭ信号を搬送波信号に挿入する操作は、ＴＭ信号を搬送波信号の位相に挿入してＴＭ変調搬送波信号を提供することを含む。
【０３６３】
実施形態２０２は、実施形態２０１の媒体であり、ＴＭ信号は、ＴＭ信号を搬送波信号の位相に追加することによって搬送波信号の位相に挿入される。
【０３６４】
実施形態２０３は、実施形態２００の媒体であり、ＴＭ信号を搬送波信号に挿入する操作は、ＴＭ信号を搬送波信号の周波数に挿入してＴＭ変調搬送波信号を提供することを含む。
【０３６５】
実施形態２０４は、実施形態２０３の媒体であり、ＴＭ信号は、ＴＭ信号を搬送波信号の周波数に追加することによって搬送波信号の周波数に挿入される。
【０３６６】
実施形態２０５は、実施形態２００乃至２０４のいずれか１つの媒体であり、データ信号に基づいて正弦波信号を変調してＴＭ信号を提供する操作は、データ信号に基づいて正弦波信号の位相を変調してＴＭ信号を提供することを含む。
【０３６７】
実施形態２０６は、実施形態２０５の媒体であり、データ信号に基づいて正弦波信号の位相を変調してＴＭ信号を提供する操作は、正弦波信号の位相をデータ信号内の各データ値の個別の位相シフトだけ変化させることを含む。
【０３６８】
実施形態２０７は、実施形態２０６の媒体であり、個別の位相シフトの値の変化は、正弦波信号の周期の整数倍に対応するように時間が合わされる。
【０３６９】
実施形態２０８は、実施形態２０６乃至２０７のいずれか１つの媒体であり、各個別の位相シフトは、データ信号のデータ値を表すＴＭシンボルである。
【０３７０】
実施形態２０９は、実施形態２００乃至２０８のいずれか１つの媒体であり、データ信号に基づいて正弦波信号を変調する操作が、データ信号に基づいて正弦波信号の位相と振幅の両方を変調してＴＭ信号を提供することを含む。
【０３７１】
実施形態２１０は、実施形態２００乃至２０９のいずれか１つの媒体であり、ＴＭ信号のシンボル期間は、正弦波信号の周期の整数倍である。
【０３７２】
実施形態２１１は、実施形態２００乃至２１０のいずれか１つの媒体であり、更に、ＴＭ変調搬送波信号を送信する前にＴＭ変調搬送波信号をフィルタリングすることを含む。
【０３７３】
実施形態２１２は、実施形態２００乃至２１１のいずれか１つの媒体であり、搬送波信号は、中間周波数搬送波信号であり、方法は、更に、ＴＭ変調搬送波信号を送信搬送波信号の周波数にシフトアップすることを含む。
【０３７４】
実施形態２１３は、少なくとも１つのプロセッサと、命令が記憶された少なくとも１つのプロセッサに結合されたデータストアとを含む受信器であり、命令は、少なくとも１つのプロセッサによって実行されたとき、少なくとも１つのプロセッサに、転置変調（ＴＭ）信号と非ＴＭ信号の両方で変調された搬送波信号を含む結合信号を受け取る操作と、非ＴＭ信号のそれぞれのシンボルフレーム全体にわたる結合信号の平均値を決定する操作と、結合信号の平均値に基づいて非ＴＭ信号を復調する操作と、結合信号から非ＴＭ信号を除去する操作と、ＴＭ信号を復調する操作とを含む操作を実行させる。
【０３７５】
実施形態２１４は、実施形態２１３の受信器であり、平均値を決定する操作は、非ＴＭ信号のそれぞれのシンボルフレーム全体にわたる結合信号の平均マグニチュード値を決定することを含む。
【０３７６】
実施形態２１５は、実施形態２１３乃至２１４のいずれか１つの受信器であり、平均値を決定する操作は、非ＴＭ信号のそれぞれのシンボルフレーム全体にわたる結合信号の平均位相値を決定することを含む。
【０３７７】
実施形態２１６は、実施形態２１３乃至２１５のいずれか１つの受信器であり、平均値を決定する操作は、非ＴＭ信号のそれぞれのシンボルフレーム全体にわたる結合信号の平均マグニチュード値と平均位相値を決定することを含む。
【０３７８】
実施形態２１７は、実施形態２１３乃至２１６のいずれか１つの受信器であり、非ＴＭ信号は、ＱＡＭ信号である。
【０３７９】
実施形態２１８は、実施形態２１３乃至２１７のいずれか１つの受信器であり、更に、結合信号を中間周波数にシフトすることを含む。
【０３８０】
実施形態２１９は、実施形態２１３乃至２１８のいずれか１つの受信器であり、更に、結合信号をベースバンドにシフトすることを含む。
【０３８１】
実施形態２２０は、実施形態２１３乃至２１９のいずれか１つの受信器であり、結合信号から非ＴＭ信号を除去する操作は、結合信号のバッファコピーから非ＴＭ信号を除去することを含む。
【０３８２】
実施形態２２１は、実施形態２１３乃至２２０のいずれか１つの受信器であり、結合信号から非ＴＭ信号を除去する操作は、非ＴＭ信号の回復されたシンボル値を使用して結合信号のバッファコピーから非ＴＭ信号を除去することを含む。
【０３８３】
実施形態２２２は、実施形態２２１の受信器であり、結合信号から非ＴＭ信号を除去する操作は、結合信号のそれぞれのフレームを、非ＴＭ信号の回復されたシンボル値の対応する１つのマグニチュードと位相値によって分割することを含む。
【０３８４】
実施形態２２３は、実施形態２１３乃至２２２のいずれか１つの受信器であり、ＴＭ信号を復調する操作は、搬送波信号の位相からＴＭ信号を抽出することと、ＴＭ信号の個別の位相シフトを検出することとを含む。
【０３８５】
実施形態２２４は、実施形態２１３乃至２２２のいずれか１つの受信器であり、ＴＭ信号を復調する操作は、搬送波信号の位相からＴＭ信号を抽出することと、ＴＭ信号の位相シフトと振幅シフトを検出することとを含む。
【０３８６】
実施形態２２５は、実施形態２１３乃至２２４のいずれか１つの受信器であり、少なくとも１つのプロセッサが、フィールドプログラマブルゲートアレイ（ＦＰＧＡ）、特定用途向け集積回路（ＡＳＩＣ）又はソフトウェア無線（ＳＤＲ）のうちの１つを含む。
【０３８７】
実施形態２２６は、命令を記憶する非一時的コンピュータ可読媒体であり、命令は、少なくとも１つのプロセッサによって実行されたとき、少なくとも１つのプロセッサに、転置変調（ＴＭ）信号と非ＴＭ信号の両方で変調された搬送波信号を含む結合信号を受け取る操作と、非ＴＭ信号のそれぞれのシンボルフレーム全体にわたる結合信号の平均値を決定する操作と、結合信号の平均値に基づいて非ＴＭ信号を復調する操作と、結合信号から非ＴＭ信号を除去する操作と、ＴＭ信号を復調する操作とを含む操作を実行させる。
【０３８８】
実施形態２２７は、実施形態２２６の媒体であり、平均値を決定する操作は、非ＴＭ信号のそれぞれのシンボルフレーム全体にわたる結合信号の平均マグニチュード値を決定することを含む。
【０３８９】
実施形態２２８は、実施形態２２６乃至２２７のいずれか１つの媒体であり、平均値を決定する操作は、非ＴＭ信号のそれぞれのシンボルフレーム全体にわたる結合信号の平均位相値を決定することを含む。
【０３９０】
実施形態２２９は、実施形態２２６乃至２２８のいずれか１つの媒体であり、平均値を決定する操作は、非ＴＭ信号のそれぞれのシンボルフレーム全体にわたる結合信号の平均マグニチュード値と平均位相値を決定することを含む。
【０３９１】
実施形態２３０は、実施形態２２６乃至２２９のいずれか１つの媒体であり、非ＴＭ信号は、ＱＡＭ信号である。
【０３９２】
実施形態２３１は、実施形態２２６乃至２３０のいずれか１つの媒体であり、更に、結合信号を中間周波数にシフトすることを含む。
【０３９３】
実施形態２３２は、実施形態２２６乃至２３１のいずれか１つの媒体であり、更に、結合信号をベースバンドにシフトすることを含む。
【０３９４】
実施形態２３３は、実施形態２２６乃至２３２のいずれか１つの媒体であり、結合信号から非ＴＭ信号を除去する操作は、結合信号のバッファコピーから非ＴＭ信号を除去することを含む。
【０３９５】
実施形態２３４は、実施形態２２６乃至２３３のいずれか１つの媒体であり、結合信号から非ＴＭ信号を除去する操作は、非ＴＭ信号の回復されたシンボル値を使用して結合信号のバッファコピーから非ＴＭ信号を除去することを含む。
【０３９６】
実施形態２３５は、実施形態２３４の媒体であり、結合信号から非ＴＭ信号を除去する操作は、結合信号のそれぞれのフレームを、非ＴＭ信号の回復されたシンボル値の対応する１つのマグニチュードと位相値によって分割することを含む。
【０３９７】
実施形態２３６は、実施形態２２６乃至２３５のいずれか１つの媒体であり、ＴＭ信号を復調する操作は、搬送波信号の位相からＴＭ信号を抽出することと、ＴＭ信号の個別の位相シフトを検出することとを含む。
【０３９８】
実施形態２３７は、実施形態２２６乃至２３５のいずれか１つの媒体であり、ＴＭ信号を復調する操作は、搬送波信号の位相からＴＭ信号を抽出することと、ＴＭ信号の位相シフトと振幅シフトを検出することとを含む。
【０３９９】
実施形態２３８は、少なくとも１つのプロセッサと、命令が記憶された少なくとも１つのプロセッサに結合されたデータストアとを含む受信器であり、命令は、１つのプロセッサによって実行されたとき、少なくとも１つのプロセッサに、転置変調（ＴＭ）信号で変調された搬送波信号を含む変調搬送波信号を受け取る操作と、変調信号のシンボル期間全体にわたって変調搬送波信号の平均位相を決定する操作と、搬送波信号の平均位相に基づいて基準信号を生成する操作と、変調搬送波信号と基準信号の間の経時変化位相差を決定することによって搬送波信号からＴＭ信号を抽出する操作であって、経時変化位相差がＴＭ信号を表す操作と、変調信号と基準信号の間の個別の位相シフトを識別することによってＴＭ信号を復調する操作とを含む操作を実行させる。
【０４００】
実施形態２３９が、実施形態２３８の受信器であり、更に、変調された搬送波信号を中間周波数にシフトすることを含む。
【０４０１】
実施形態２４０は、実施形態２３８乃至２３９のいずれか１つの受信器であり、更に、変調搬送波信号をベースバンドにシフトすることを含む。
【０４０２】
実施形態２４１が、実施形態２３８乃至２４０のいずれか１つの受信器であり、ＴＭ信号を復調する操作が、ＴＭ信号の振幅シフトを検出することを含む。
【０４０３】
実施形態２４２は、実施形態２３８乃至２４１のいずれか１つの受信器であり、少なくとも１つのプロセッサが、フィールドプログラマブルゲートアレイ（ＦＰＧＡ）、特定用途向け集積回路（ＡＳＩＣ）又はソフトウェア無線（ＳＤＲ）のうちの１つを含む。
【０４０４】
実施形態２４３は、命令が記憶された非一時的コンピュータ可読記憶媒体であり、命令は、１つのプロセッサによって実行されたとき、少なくとも１つのプロセッサに、転置変調（ＴＭ）信号で変調された搬送波信号を含む変調搬送波信号を受け取る操作と、変調信号のシンボル期間全体にわたって変調搬送波信号の平均位相を決定する操作と、搬送波信号の平均位相に基づいて基準信号を生成する操作と、変調搬送波信号と基準信号の間の経時変化位相差を決定することによって搬送波信号からＴＭ信号を抽出する操作であって、経時変化位相差がＴＭ信号を表す操作と、変調信号と基準信号の間の個別の位相シフトを識別することによってＴＭ信号を復調する操作とを含む操作を実行させる。
【０４０５】
実施形態２４４が、実施形態２４３の媒体であり、更に、変調された搬送波信号を中間周波数にシフトすることを含む。
【０４０６】
実施形態２４５は、実施形態２４３乃至２４４のいずれか１つの媒体であり、更に、変調搬送波信号をベースバンドにシフトすることを含む。
【０４０７】
実施形態２４６が、実施形態２４３乃至２４５のいずれか１つの受信器であり、ＴＭ信号を復調する操作が、ＴＭ信号の振幅シフトを検出することを含む。
【符号の説明】
【０４０８】
２０４  ＴＭ信号発生器
２０６  搬送波／ＩＦ発生器
２０８  内部搬送波変調器
２１０  ＱＡＭシンボルマッパ
２１２  ＱＡＭ  Ｉ／Ｑ変調器
２２０  正弦波発生器
２２２  信号フレーミング
２２４  ＴＭシンボルマッパ
２２６  フレーム式信号変調器
２３０  フィルタ
２３２  ＩＦアップコンバータ
【図１】
2020517186.tif 000005
【図２】
2020517186.tif 000006
【図３Ａ】
2020517186.tif 000007
【図３Ｂ】
2020517186.tif 000008
【図３Ｃ】
2020517186.tif 000009
【図３Ｄ】
2020517186.tif 000010
【図３Ｅ】
2020517186.tif 000011
【図３Ｆ】
2020517186.tif 000012
【図３Ｇ】
2020517186.tif 000013
【図４】
2020517186.tif 000014
【図５】
2020517186.tif 000015
【図６】
2020517186.tif 000016
【図７】
2020517186.tif 000017
【図８】
2020517186.tif 000018
【図９】
2020517186.tif 000019
【図１０】
2020517186.tif 000020
【国際調査報告】
2020517186.tif 000021
2020517186.tif 000022
2020517186.tif 000023